(57)【要約】  基地局装置は、ユーザ装置と通信を行い、初期アクセスに使用される情報を含む１又は複数のブロック及びプリアンブルを送信する前記ブロックに関連付けられるリソースを特定する情報を無線フレームに配置する設定部と、前記無線フレームを前記ユーザ装置に送信する送信部と、前記リソースで、前記ユーザ装置からプリアンブルを受信する受信部とを有し、前記リソースを特定する情報は、前記無線フレームに配置される前記ブロックの位置に基づいて定められる。
2019049352.tif 000002
【特許請求の範囲】
【請求項１】
ユーザ装置と通信を行う基地局装置であって、
初期アクセスに使用される情報を含む１又は複数のブロック及びプリアンブルを送信する前記ブロックに関連付けられるリソースを特定する情報を無線フレームに配置する設定部と、
前記無線フレームを前記ユーザ装置に送信する送信部と、
前記リソースで、前記ユーザ装置からプリアンブルを受信する受信部とを有し、
前記リソースを特定する情報は、前記無線フレームに配置される前記ブロックの位置に基づいて定められる基地局装置。
【請求項２】
前記リソースを特定する情報は、前記ブロック、前記ブロックに含まれない初期アクセスに必要な情報若しくは前記通信のデータが配置される無線フレームのサブキャリア間隔に基づいて定められる請求項１記載の基地局装置。
【請求項３】
前記リソースを特定する情報は、前記ブロックが含まれるスロット内に前記リソースが配置される形式と、前記ブロックが含まれないスロットに前記リソースが配置される形式とを、それぞれ１又は複数含む請求項１又は２記載の基地局装置。
【請求項４】
前記リソースを特定する情報は、前記リソースが配置されるスロットの先頭位置及び前記ブロックからのオフセットと、前記リソースが連続して配置されるかを示す情報又は前記リソースが連続せずに配置されるかを示す情報とを含む請求項１乃至３いずれか一項記載の基地局装置。
【請求項５】
前記リソースを特定する情報は、前記リソースが配置されないリザーブされたシンボルの配置を含む請求項１乃至４いずれか一項記載の基地局装置。
【請求項６】
前記リソースを特定する情報は、前記リソースが配置されるスロットの先頭位置、前記リソースが配置されるスロットと後続のスロットの間隔、プリアンブルフォーマット、前記リソースの繰り返し数、前記リソースが繰り返されるセットの周期、前記リソースが繰り返されるセットの間隔、前記リソースが繰り返されるセットのパターン、前記リソースが配置されないリザーブされたシンボルの配置、のうち一部又は全部の情報を含み、前記一部又は全部の情報によって、前記ブロックに関連付けられるリソースが暗黙的に特定される請求項１乃至５いずれか一項記載の基地局装置。
【請求項７】
前記リソースを特定する情報は、前記無線フレームにおいて、前記ブロックが配置される候補の位置に、前記リソースが配置されていることを示す請求項１乃至６いずれか一項記載の基地局装置。
【請求項８】
前記リソースを特定する情報は、前記無線フレームにおいて、第１のブロックと第２のブロックとの間に前記リソースは配置され、かつ前記第１のブロックが配置される位置から所定の期間を空けて前記リソースが配置されていることを示す請求項１乃至７いずれか一項記載の基地局装置。
【請求項９】
前記リソースを特定する情報は、前記無線フレームにおいて、配置される所定数のブロックすべてに対応する１又は複数の前記リソースが配置されていることを示し、前記無線フレームにおける前記１又は複数の前記リソースがすべて配置された位置より後方に前記所定数のブロックの次のインデックスを有するブロックの配置が開始される請求項１乃至８いずれか一項記載の基地局装置。
【請求項１０】
基地局装置と通信を行うユーザ装置であって、
無線フレームを前記基地局装置から受信する受信部と、
前記無線フレームから、初期アクセスに使用される情報を含む１又は複数のブロック及びプリアンブルを送信する前記ブロックに関連付けられるリソースを特定する情報を取得し、前記初期アクセスに使用する情報及び前記リソースを特定する情報に基づいて、使用するリソース及びプリアンブルを特定する制御部と、
前記リソースで、前記基地局装置に前記プリアンブルを送信する送信部とを有し、
前記リソースを特定する情報は、前記無線フレームに配置される前記ブロックの位置に基づいて定められるユーザ装置。
【発明の詳細な説明】
【技術分野】
【０００１】
本発明は、無線通信システムにおける基地局装置及びユーザ装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ユーザ装置と基地局装置とが接続を確立する際の初期アクセスにおいて、基地局装置から送信される同期信号によるセル検出及びセル同定、及び初期アクセスに必要なシステム情報の一部の取得が、ユーザ装置によって行われる（例えば非特許文献１）。【０００４】
また、ＮＲでは、ＬＴＥ（Long Term Evolution）と同様の低い周波数帯から、ＬＴＥよりも更に高い周波数帯までの幅広い周波数を使用することが想定されている。特に、高周波数帯では伝搬ロスが増大することから、当該伝搬ロスを補うために、ビーム幅の狭いビームフォーミングを適用することが検討されている（例えば非特許文献２）。
【先行技術文献】
【非特許文献】
【０００５】
【非特許文献１】３ＧＰＰ  ＴＳ  ３６．２１３  Ｖ１４．３．０  （２０１７−０６）
【非特許文献２】３ＧＰＰ  ＴＳ  ３６．２１１  Ｖ１４．３．０  （２０１７−０６）
【発明の概要】
【発明が解決しようとする課題】
【０００６】
ＮＲにおいて、初期アクセスに必要な同期信号及びシステム情報の一部は、連続したＯＦＤＭ（Orthogonal Frequency Division Multiplexing）シンボルから構成されるＳＳ  ｂｌｏｃｋ（Synchronization Signal block）と呼ばれるリソースユニットで、無線フレームにマッピングされる。ユーザ装置は、基地局装置から送信されるＳＳ  ｂｌｏｃｋを受信して初期アクセスに必要な情報を取得する。初期アクセスに必要な情報には、ＲＡＣＨ（Random Access Channel）リソース及びプリアンブル信号形式を特定する情報が含まれる。【０００７】
また、ＮＲにおいては、基地局装置は、ビームフォーミングを適用して複数のビームを送信する。当該ビームに関連付けられたＳＳ  ｂｌｏｃｋをユーザ装置は受信し、初期アクセスに必要な情報を取得する。【０００８】
ここで、受信されたＳＳ  ｂｌｏｃｋに関連付けられたＲＡＣＨリソースを配置する無線フレーム上の位置を適切に定める必要がある。【０００９】
本発明は上記の点に鑑みてなされたものであり、無線通信システムの初期アクセスにおいて、ランダムアクセスに使用するリソースを適切に無線フレーム上に配置することを目的とする。
【課題を解決するための手段】
【００１０】
開示の技術によれば、基地局装置は、ユーザ装置と通信を行い、初期アクセスに使用される情報を含む１又は複数のブロック及びプリアンブルを送信する前記ブロックに関連付けられるリソースを特定する情報を無線フレームに配置する設定部と、前記無線フレームを前記ユーザ装置に送信する送信部と、前記リソースで、前記ユーザ装置からプリアンブルを受信する受信部とを有し、前記リソースを特定する情報は、前記無線フレームに配置される前記ブロックの位置に基づいて定められる基地局装置が提供される。
【発明の効果】
【００１１】
開示の技術によれば、無線通信システムの初期アクセスにおいて、ランダムアクセスに使用するリソースを適切に無線フレーム上に配置することができる。
【図面の簡単な説明】
【００１２】
【図１】本発明の実施の形態における無線通信システムの構成例を示す図である。
【図２】本発明の実施の形態における初期アクセスのシーケンスの一例を示す図である。
【図３】本発明の実施の形態におけるＳＳ  ｂｕｒｓｔ  ｓｅｔを説明するための図である。
【図４】本発明の実施の形態におけるＳＳ  ｂｌｏｃｋに関連付けられたＲＡＣＨリソースを説明するための図である。
【図５】本発明の実施の形態におけるＳＳ  ｂｕｒｓｔ  ｓｅｔの構成例（１）を説明するための図である。
【図６】本発明の実施の形態におけるＳＳ  ｂｕｒｓｔ  ｓｅｔの構成例（２）を説明するための図である。
【図７】本発明の実施の形態におけるＳＳ  ｂｕｒｓｔ  ｓｅｔの構成例（３）を説明するための図である。
【図８】本発明の実施の形態におけるスロット内のシンボル位置に関するＲＡＣＨリソース配置の例を示す図である。
【図９】本発明の実施の形態におけるＳＳ  ｂｌｏｃｋのサブキャリア間隔が１５ｋＨｚの場合のＲＡＣＨリソース配置の例（１）を示す図である。
【図１０】本発明の実施の形態におけるＳＳ  ｂｌｏｃｋのサブキャリア間隔が１５ｋＨｚの場合のＲＡＣＨリソース配置の例（２）を示す図である。
【図１１】本発明の実施の形態におけるＳＳ  ｂｌｏｃｋのサブキャリア間隔が１５ｋＨｚの場合のＲＡＣＨリソース配置の例（３）を示す図である。
【図１２】本発明の実施の形態におけるＳＳ  ｂｌｏｃｋのサブキャリア間隔が１５ｋＨｚの場合のＲＡＣＨリソース配置の例（４）を示す図である。
【図１３】本発明の実施の形態におけるＳＳ  ｂｌｏｃｋのサブキャリア間隔が１５ｋＨｚの場合のＲＡＣＨリソース配置の例（５）を示す図である。
【図１４】本発明の実施の形態におけるＳＳ  ｂｌｏｃｋのサブキャリア間隔が３０ｋＨｚの場合のＲＡＣＨリソース配置の例（１）を示す図である。
【図１５】本発明の実施の形態におけるＳＳ  ｂｌｏｃｋのサブキャリア間隔が３０ｋＨｚの場合のＲＡＣＨリソース配置の例（２）を示す図である。
【図１６】本発明の実施の形態におけるＳＳ  ｂｌｏｃｋのサブキャリア間隔が３０ｋＨｚの場合のＲＡＣＨリソース配置の例（３）を示す図である。
【図１７】本発明の実施の形態におけるＳＳ  ｂｌｏｃｋのサブキャリア間隔が１２０ｋＨｚの場合のＲＡＣＨリソース配置の例（１）を示す図である。
【図１８】本発明の実施の形態におけるＳＳ  ｂｌｏｃｋのサブキャリア間隔が１２０ｋＨｚの場合のＲＡＣＨリソース配置の例（２）を示す図である。
【図１９】本発明の実施の形態におけるＳＳ  ｂｌｏｃｋのサブキャリア間隔が２４０ｋＨｚの場合のＲＡＣＨリソース配置の例を示す図である。
【図２０】本発明の実施の形態における基地局装置１００の機能構成の一例を示す図である。
【図２１】本発明の実施の形態におけるユーザ装置２００の機能構成の一例を示す図である。
【図２２】基地局装置１００及びユーザ装置２００のハードウェア構成の一例を示す図である。
【発明を実施するための形態】
【００１３】
以下、図面を参照して本発明の実施の形態を説明する。なお、以下で説明する実施の形態は一例であり、本発明が適用される実施の形態は、以下の実施の形態に限られない。
【００１４】
本実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１５】
また、以下で説明する実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）等の用語を使用しているが、これは記載の便宜上のためであり、これらと同様の信号、機能等が他の名称で呼ばれてもよい。また、ＮＲにおける上述の用語を、ＮＲ−ＳＳ、ＮＲ−ＰＳＳ、ＮＲ−ＳＳＳ、ＮＲ−ＰＢＣＨ、ＮＲ−ＰＲＡＣＨ等と表記する。
【００１６】
図１は、本発明の実施の形態における無線通信システムの構成例を示す図である。本発明の実施の形態における無線通信システムは、図１に示されるように、基地局装置１００及びユーザ装置２００を含む。図１には、基地局装置１００及びユーザ装置２００が１つずつ示されているが、これは例であり、それぞれ複数であってもよい。
【００１７】
基地局装置１００は、１つ以上のセルを提供し、ユーザ装置２００と無線通信を行う通信装置である。図１に示されるように、基地局装置１００は、同期信号及びシステム情報をユーザ装置２００に送信する。同期信号は、例えば、ＮＲ−ＰＳＳ及びＮＲ−ＳＳＳである。システム情報は、例えば、ＮＲ−ＰＢＣＨにて送信される。また、システム情報は、報知情報ともいう。基地局装置１００及びユーザ装置２００とはいずれも、ビームフォーミングを行って信号の送受信を行うことが可能である。ユーザ装置２００は、スマートフォン、携帯電話機、タブレット、ウェアラブル端末、Ｍ２Ｍ（Machine-to-Machine）用通信モジュール等の無線通信機能を備えた通信装置であり、基地局装置１００に無線接続し、無線通信システムにより提供される各種通信サービスを利用する。初期アクセスの段階において、図１に示されるように、ユーザ装置２００は、ランダムアクセスのプリアンブル信号を基地局装置１００に送信する。当該ランダムアクセスは、基地局装置１００から受信したＮＲ−ＰＢＣＨによるシステム情報に加え、ＮＲ−ＰＤＣＣＨ（Physical downlink control channel）によってスケジューリングされたＮＲ−ＰＤＳＣＨ（Physical downlink shared channel）によるシステム情報であるＲＭＳＩ（Remaining minimum system information）に基づいて行われる。ＲＭＳＩは、例えば、ＲＡＣＨ設定等の初期アクセスに必要な情報を含む。
【００１８】
なお、本実施の形態において、複信（Duplex）方式は、ＴＤＤ（Time Division Duplex）方式でもよいし、ＦＤＤ（Frequency Division Duplex）方式でもよいし、又はそれ以外（例えば、Flexible Duplex等）の方式でもよい。
【００１９】
また、以下の説明において、送信ビームを用いて信号を送信することは、プリコーディングベクトルが乗算された（プリコーディングベクトルでプリコードされた）信号を送信することとしてもよい。同様に、受信ビームを用いて信号を受信することは、所定の重みベクトルを受信した信号に乗算することとしてもよい。また、送信ビームを用いて信号を送信することは、特定のアンテナポートで信号を送信することと表現されてもよい。同様に、受信ビームを用いて信号を受信することは、特定のアンテナポートで信号を受信することと表現されてもよい。アンテナポートとは、３ＧＰＰの規格で定義されている論理アンテナポート又は物理アンテナポートを指す。なお、送信ビーム及び受信ビームの形成方法は、上記の方法に限られない。例えば、複数アンテナを備える基地局装置１００及びユーザ装置２００において、それぞれのアンテナの角度を変える方法を用いてもよいし、プリコーディングベクトルを用いる方法とアンテナの角度を変える方法を組み合わせる方法を用いてもよいし、異なるアンテナパネルを切り替えて利用してもよいし、複数のアンテナパネルを合わせて使う方法を組み合わせる方法を用いてもよいし、その他の方法を用いてもよい。また、例えば、高周波数帯において、複数の互いに異なる送信ビームが使用されてもよい。複数の送信ビームが使用されることを、マルチビーム運用といい、ひとつの送信ビームが使用されることを、シングルビーム運用という。
【００２０】
（実施例）
以下、実施例について説明する。
【００２１】
図２は、本発明の実施の形態における初期アクセスのシーケンスの一例を示す図である。初期アクセスが開始されると、ステップＳ１において、基地局装置１００は、ＮＲ−ＰＳＳ、ＮＲ−ＳＳＳ及びＮＲ−ＰＢＣＨ、すなわちＳＳ  ｂｌｏｃｋを、ユーザ装置２００に送信する。ＮＲ−ＰＢＣＨには、システム情報の一部が含まれる。基地局装置１００は、複数のＳＳ  ｂｌｏｃｋで構成されるＳＳ  ｂｕｒｓｔ  ｓｅｔをＳＳ  ｂｕｒｓｔ  ｓｅｔ  ｐｅｒｉｏｄｉｃｉｔｙの周期で繰り返してユーザ装置２００に送信する。ＳＳ  ｂｕｒｓｔ  ｓｅｔに複数のＳＳ  ｂｌｏｃｋが含まれる場合、当該複数のＳＳ  ｂｌｏｃｋは、マルチビーム運用環境において、それぞれ異なるビームに関連付けられてもよい。
【００２２】
一方、ユーザ装置２００は、基地局装置１００から送信されるＮＲ−ＰＳＳを受信して、初期の時間及び周波数同期及びセルＩＤ（identity）の一部の特定に少なくとも使用する。また、ユーザ装置２００は、基地局装置１００から送信されるＮＲ−ＳＳＳを受信して、少なくともセルＩＤの一部の特定に使用する。また、ユーザ装置２００は、基地局装置１００から送信されるＮＲ−ＰＢＣＨを受信して、初期アクセスに必要なシステム情報の一部、例えば、システムフレーム番号（ＳＦＮ：System Frame Number）及び他のシステム情報のＲＭＳＩ等を取得するための情報を取得する。
【００２３】
続いて、ステップＳ２において、ＲＭＳＩを含む他のシステム情報は、ＮＲ−ＰＤＣＣＨによってスケジューリングされたＮＲ−ＰＤＳＣＨを介して受信される。ＲＭＳＩには、ランダムアクセス手順を実行するためのリソース、すなわち、ＲＡＣＨリソース及びプリアンブルフォーマット等を特定する情報が含まれる。
【００２４】
ＳＳ  ｂｕｒｓｔ  ｓｅｔに複数のＳＳ  ｂｌｏｃｋが含まれる場合、ユーザ装置２００は、あるＳＳ  ｂｌｏｃｋを取得すると、当該ＳＳ  ｂｌｏｃｋに関連付けられるＲＡＣＨリソースで、プリアンブルを送信しランダムアクセス手順を開始する（Ｓ３）。
【００２５】
ステップＳ３において、基地局装置１００とユーザ装置２００との間でランダムアクセス手順が成功すると、初期アクセスは完了し、通常の通信が開始される（Ｓ４）。
【００２６】
図３は、本発明の実施の形態におけるＳＳ  ｂｕｒｓｔ  ｓｅｔを説明するための図である。図３に示されるように、ＳＳ  ｂｕｒｓｔ  ｓｅｔは、１〜Ｌ個のＳＳ  ｂｌｏｃｋから構成される。ＳＳ  ｂｌｏｃｋを送信する候補のリソースは、５ｍｓ期間内に含まれる。ＳＳ  ｂｌｏｃｋは、ＳＳ  ｂｕｒｓｔ  ｓｅｔのＬ個の候補位置すべてに配置されるとは限らず、実際に基地局装置１００から送信されるＳＳ  ｂｌｏｃｋは、運用に応じてＬ個以下で配置される。ＳＳ  ｂｌｏｃｋが配置されていない候補位置のリソースは、通常の通信に使用される。すなわち、Ｌは、ＳＳ  ｂｕｒｓｔ  ｓｅｔ中の最大ＳＳ  ｂｌｏｃｋ数を示す。また、Ｌは、周波数帯によって異なる値となる。例えば、３ＧＨｚ以下の周波数帯ではＬ＝４、３ＧＨｚ〜６ＧＨｚの周波数帯ではＬ＝８、６ＧＨｚ〜５２．６ＧＨｚの周波数帯ではＬ＝６４としてよい。
【００２７】
また、図３に示される例においては、ＳＳ  ｂｕｒｓｔ  ｓｅｔが送信される周期を示すＳＳ  ｂｕｒｓｔ  ｓｅｔ  ｐｅｒｉｏｄｉｃｉｔｙは、２０ｍｓである。ＳＳ  ｂｕｒｓｔ  ｓｅｔ  ｐｅｒｉｏｄｉｃｉｔｙの最小値は、５ｍｓであってもよい。
【００２８】
図４は、本発明の実施の形態におけるＳＳ  ｂｌｏｃｋに関連付けられたＲＡＣＨリソースを説明するための図である。図４に示されるように、ＮＲにおいて、基地局装置１００からビームに関連付けられたＳＳ  ｂｌｏｃｋを含むＳＳ  ｂｕｒｓｔ  ｓｅｔが送信される。ユーザ装置２００は、検出可能なＳＳ  ｂｌｏｃｋを受信して、受信したＳＳ  ｂｌｏｃｋに関連付けられたＲＡＣＨリソースでプリアンブルを送信して初期アクセス手順を開始する。ＲＡＣＨリソースは、ビームに関連付けられていてもよい。
【００２９】
図４に示される例では、ＳＳ  ｂｕｒｓｔ  ｓｅｔに含まれる４番目のＳＳ  ｂｌｏｃｋをユーザ装置２００は受信し、４番目のＳＳ  ｂｌｏｃｋに関連付けられているＲＡＣＨリソース２で、プリアンブルを送信する。また、図４に示される例では、ＳＳ  ｂｕｒｓｔ  ｓｅｔに含まれる２番目のＳＳ  ｂｌｏｃｋは、ＲＡＣＨリソース１に関連付けられ、ＳＳ  ｂｕｒｓｔ  ｓｅｔに含まれる６番目のＳＳ  ｂｌｏｃｋは、ＲＡＣＨリソース３に関連付けられている。また、ＳＳ  ｂｌｏｃｋには、対応するＳＳ  ｂｌｏｃｋ  ｉｎｄｅｘが存在し、例えば、ＳＳ  ｂｕｒｓｔ  ｓｅｔに含まれる４番目のＳＳ  ｂｌｏｃｋのＳＳ  ｂｌｏｃｋ  ｉｎｄｅｘは、「４」と定義される。
【００３０】
図５は、本発明の実施の形態におけるＳＳ  ｂｕｒｓｔ  ｓｅｔの構成例（１）を説明するための図である。図５において、無線フレーム上での５ｍｓ又は１ｍｓの時間単位でＳＳ  ｂｕｒｓｔ  ｓｅｔを構成した例を示している。
【００３１】
図５Ａは、ＳＳ  ｂｌｏｃｋが送信される無線信号のサブキャリア間隔が１５ｋＨｚかつ周波数帯が３ＧＨｚまでの場合のＳＳ  ｂｕｒｓｔ  ｓｅｔの構成例である。５ｍｓに対応する５スロットのうち、先頭の２スロットが、ＳＳ  ｂｌｏｃｋ（以下、「ＳＳＢ」ともいう。）を含む。スロット＃０にＳＳＢ＃０及びＳＳＢ＃１が配置され、スロット＃１にＳＳＢ＃２及びＳＳＢ＃３が配置される。１ｍｓの長さを有するスロットは、シンボル＃０からシンボル＃１３の１４シンボルで構成される。図５Ａに示されるように、１５ｋＨｚ  ＳＣＳ（subcarrier spacing、サブキャリア間隔）である無線フレームの、シンボル＃２からシンボル＃５にＳＳＢ＃０が配置され、シンボル＃８からシンボル＃１１にＳＳＢ＃１が配置される。１５ｋＨｚ  ＳＣＳである無線フレームは、ＳＳＢ及びデータの送受信に使用され、３０ｋＨｚ  ＳＣＳ及び６０ｋＨｚ  ＳＣＳである無線フレームは、データの送受信に使用される。
【００３２】
図５Ｂは、ＳＳ  ｂｌｏｃｋが送信される無線信号のサブキャリア間隔が１５ｋＨｚかつ周波数帯が３ＧＨｚから６ＧＨｚまでの場合のＳＳ  ｂｕｒｓｔ  ｓｅｔの例である。５ｍｓに対応する５スロットのうち、先頭の４スロットが、ＳＳ  ｂｌｏｃｋを含む。スロット＃０にＳＳＢ＃０及び＃１が配置され、スロット＃１にＳＳＢ＃２及び＃３が配置され、スロット＃２にＳＳＢ＃４及びＳＳＢ＃５が配置され、スロット＃３にＳＳＢ＃６及びＳＳＢ＃７が配置される。スロット内のシンボル上のＳＳ  ｂｌｏｃｋの配置は、図５Ａと同様でよい。
【００３３】
図６は、本発明の実施の形態におけるＳＳ  ｂｕｒｓｔ  ｓｅｔの構成例（２）を説明するための図である。図６において、無線フレーム上での５ｍｓ又は１ｍｓの時間単位でＳＳ  ｂｕｒｓｔ  ｓｅｔを構成した例を示している。
【００３４】
図６Ａは、ＳＳ  ｂｌｏｃｋが送信される無線信号のサブキャリア間隔が３０ｋＨｚの場合のＳＳ  ｂｕｒｓｔ  ｓｅｔのスロット内の構成例である。スロット内のシンボル＃４からシンボル＃７にＳＳＢ＃０が配置され、シンボル＃８からシンボル＃１１にＳＳＢ＃１が配置される。続くスロット内のシンボル＃２からシンボル＃５にＳＳＢ＃２が配置され、シンボル＃６からシンボル＃９にＳＳＢ＃３が配置される。ＳＳＢ＃０からＳＳＢ＃３が、連続する２スロットに配置される。３０ｋＨｚ  ＳＣＳである無線フレームは、ＳＳＢ及びデータの送受信に使用され、１５ｋＨｚ  ＳＣＳ及び６０ｋＨｚ  ＳＣＳである無線フレームは、データの送受信に使用される。
【００３５】
図６Ｂは、ＳＳ  ｂｌｏｃｋが送信される無線信号のサブキャリア間隔が３０ｋＨｚの場合のＳＳ  ｂｕｒｓｔ  ｓｅｔのスロット内の他の構成例である。スロット内のシンボル＃２からシンボル＃５にＳＳＢ＃０が配置され、シンボル＃８からシンボル＃１１にＳＳＢ＃１が配置される。続くスロット内のシンボル＃２からシンボル＃５にＳＳＢ＃２が配置され、シンボル＃８からシンボル＃１１にＳＳＢ＃３が配置される。ＳＳＢ＃０からＳＳＢ＃３が、連続する２スロットに配置される。３０ｋＨｚ  ＳＣＳである無線フレームは、ＳＳＢ及びデータの送受信に使用され、１５ｋＨｚ  ＳＣＳ及び６０ｋＨｚ  ＳＣＳである無線フレームは、データの送受信に使用される。
【００３６】
図６Ｃは、ＳＳ  ｂｌｏｃｋが送信される無線信号の周波数帯が０Ｈｚから３ＧＨｚまでの場合のＳＳ  ｂｕｒｓｔ  ｓｅｔの例を５ｍｓのスロット単位で示したものである。スロットは、時間順にスロット＃０からスロット＃９とする。図６Ｃに示されるように、スロット＃０にＳＳＢ＃０及びＳＳＢ＃１が配置され、スロット＃１にＳＳＢ＃２及びＳＳＢ＃３が配置される。
【００３７】
図６Ｄは、ＳＳ  ｂｌｏｃｋが送信される無線信号の周波数帯が３ＧＨｚから６ＧＨｚまでの場合のＳＳ  ｂｕｒｓｔ  ｓｅｔの例を５ｍｓのスロット単位で示したものである。スロットは、時間順にスロット＃０からスロット＃９とする。図６Ｄに示されるように、スロット＃０にＳＳＢ＃０及びＳＳＢ＃１が配置され、スロット＃１にＳＳＢ＃２及びＳＳＢ＃３が配置され、スロット＃２にＳＳＢ＃４及びＳＳＢ＃５が配置され、スロット＃３にＳＳＢ＃６及びＳＳＢ＃７が配置される。
【００３８】
図７は、本発明の実施の形態におけるＳＳ  ｂｕｒｓｔ  ｓｅｔの構成例（３）を説明するための図である。図７において、無線フレーム上での５ｍｓ又は０．２５ｍｓの時間単位でＳＳ  ｂｕｒｓｔ  ｓｅｔを構成した例を示している。
【００３９】
図７Ａは、ＳＳ  ｂｌｏｃｋが送信される無線信号のサブキャリア間隔が１２０ｋＨｚかつ周波数帯が６ＧＨｚから５２．６ＧＨｚの場合のＳＳ  ｂｕｒｓｔ  ｓｅｔの構成例である。５ｍｓのスロット単位で示した図においてスロットは、時間順にスロット＃０からスロット＃３９とする。スロット＃２０のシンボル＃４からシンボル＃７にＳＳＢ＃３２が配置され、シンボル＃８からシンボル＃１１にＳＳＢ＃３３が配置される。スロット＃２２のシンボル＃２からシンボル＃５にＳＳＢ＃３４が配置され、シンボル＃６からシンボル＃９にＳＳＢ＃３５が配置される。同様のスロット内の構成で、スロット＃０からスロット＃７はＳＳＢ＃０からＳＳＢ＃１５が配置され、スロット＃１０からスロット＃１７にＳＳＢ＃１６からＳＳＢ＃３１が配置され、スロット＃２０からスロット＃２７にＳＳＢ＃３２及びＳＳＢ＃４７が配置され、スロット＃３０からスロット＃３７にＳＳＢ＃４８からＳＳＢ＃６３が配置される。１２０ｋＨｚ  ＳＣＳである無線フレームは、ＳＳＢ及びデータの送受信に使用され、６０ｋＨｚ  ＳＣＳである無線フレームは、データの送受信に使用される。
【００４０】
図７Ｂは、ＳＳ  ｂｌｏｃｋが送信される無線信号のサブキャリア間隔が２４０ｋＨｚかつ周波数帯が６ＧＨｚから５２．６ＧＨｚの場合のＳＳ  ｂｕｒｓｔ  ｓｅｔの構成例である。５ｍｓのスロット単位で示した図においてスロットは、時間順にスロット＃０からスロット＃７９とするが、図７Ｂにおいては１マスが２スロットに対応するように図示している。スロット＃３２のシンボル＃８からシンボル＃１１にＳＳＢ＃５６が配置され、シンボル＃１２からスロット＃３３のシンボル＃１にＳＳＢ＃５７が配置され、シンボル＃２からシンボル＃５にＳＳＢ＃５８が配置され、シンボル＃６からシンボル＃９にＳＳＢ＃５９が配置される。スロット＃３４のシンボル＃４からシンボル＃７にＳＳＢ＃６０が配置され、シンボル＃８からシンボル＃１１にＳＳＢ＃６１が配置され、シンボル＃１２からスロット＃３５のシンボル＃１にＳＳＢ＃６２が配置され、シンボル＃２からシンボル＃５にＳＳＢ＃６３が配置される。同様のスロット内の構成で、スロット＃０からスロット＃１５はＳＳＢ＃０からＳＳＢ＃３１が配置され、スロット＃２０からスロット＃３５にＳＳＢ＃３２からＳＳＢ＃６３が配置される。２４０ｋＨｚ  ＳＣＳである無線フレームは、ＳＳＢの送受信に使用され、６０ｋＨｚ  ＳＣＳ及び１２０ｋＨｚ  ＳＣＳである無線フレームは、データの送受信に使用される。
【００４１】
ユーザ装置２００がＰＲＡＣＨを送信するリソースは、各ＳＳ  ｂｌｏｃｋに対応するＲＡＣＨリソースのサブセットが設定される。複数のＳＳ  ｂｌｏｃｋに対応するＲＡＣＨリソースが設定された場合、例えば、異なるＳＳ  ｂｌｏｃｋに対しては、異なるｐｒｅａｍｂｌｅ  ｉｎｄｅｘのサブセットが割り当てられて、同一ＲＡＣＨリソースで送信されるｐｒｅａｍｂｌｅを区別することができる。したがって、基地局装置１００は、ＰＲＡＣＨを受信するとき、いずれのＳＳ  ｂｌｏｃｋに対応して送信されたものであるか判別可能となるため、基地局装置１００側の受信ビーム生成又はランダムアクセス手順におけるＭｓｇ．２等の送信ビーム生成に活用することができる。
【００４２】
上記のＳＳ  ｂｌｏｃｋとＲＡＣＨリソースのサブセット又はｐｒｅａｍｂｌｅ  ｉｎｄｅｘのサブセットがどのように対応するかを示す情報は、例えば、ＲＡＣＨ  ｃｏｎｆｉｇｕｒａｔｉｏｎに含まれる情報として、報知情報すなわちｓｙｓｔｅｍ  ｉｎｆｏｒｍａｔｉｏｎ等によりユーザ装置２００に通知されてもよい。
【００４３】
なお、ＮＲ  ＰＲＡＣＨ  ｐｒｅａｍｂｌｅ  ｆｏｒｍａｔのＣＰ（Cyclic Prefix）及びＧＰ（Guard Period）を含む時間長は、系列長が８３９の場合、１ｍｓ、３ｍｓ又は３．５ｍｓが想定される。また、系列長が１３９又は１２７の場合、同様のサブキャリア間隔を持ったデータの１、２、４、６又は１２シンボルに対応する時間長となることが想定される。ただし、上記はデータのシンボルごとに対応するデータのＣＰ長も含む時間長となる。時間長がシンボル単位で示される場合、ＰＲＡＣＨのサブキャリア間隔に応じて、実際の時間長は変わる。
【００４４】
Ｔ＿ｓ  ＝  １／３０７２０  ｍｓとする。例えば４シンボル繰り返しのＰＲＡＣＨ  ｐｒｅａｍｂｌｅ  ｆｏｒｍａｔをスロットの３シンボル目から配置する場合、例えばデータのＣＰ長が、スロットの３〜６シンボル目に対応するＣＰ長は１４４Ｔ＿ｓであるとするならば、上記ＰＲＡＣＨの時間長は（１４４＊４）＋（２０４８＊４）  ＝  ８７６８Ｔ＿ｓとなる。ＰＲＡＣＨのサブキャリア間隔が３０ｋＨｚの場合、３０ｋＨｚのデータのシンボル長及びＣＰ長を想定した時間長となるため、（７２＊４）＋（１０２４＊４）  ＝  ４３８４Ｔ＿ｓとなる。
【００４５】
ここで、各ＳＳ  ｂｌｏｃｋに関連付けられるＲＡＣＨリソースの候補位置について、ＳＳ  ｂｌｏｃｋ、ＲＭＳＩ又はデータが送信される無線信号のサブキャリア間隔、実際に送信されるＳＳ  ｂｌｏｃｋの位置等により、適切な候補位置は変わる。また、許容される遅延時間、他のチャネルのスケジューリング等により、適切なＲＡＣＨリソースの時間軸上に配置される位置は異なる。また、必要とされるセルカバレッジ、干渉等の周囲の環境に応じたＰＲＡＣＨ  ｐｒｅａｍｂｌｅ  ｆｏｒｍａｔを選択する必要がある。さらに、ＰＲＡＣＨ  ｐｒｅａｍｂｌｅ  ｆｏｒｍａｔの時間長は、様々な長さが必要に応じて選択される。
【００４６】
そこで適切なＲＡＣＨリソースの候補位置を設定するため、ＳＳ  ｂｌｏｃｋとＲＡＣＨリソースとの関連付けは、ＲＭＳＩ、データ、ＳＳ  ｂｌｏｃｋ又はＰＲＡＣＨのサブキャリア間隔を予め想定して指定されてもよい。ＲＡＣＨ  ｃｏｎｆｉｇｕｒａｔｉｏｎ等で指定されてもよい。
【００４７】
各ＳＳ  ｂｌｏｃｋのサブキャリア間隔に対して、ＲＭＳＩ、データ又はＰＲＡＣＨのサブキャリア間隔は、下記のように複数の異なる組み合わせが存在する。例えば、ＳＳ  ｂｌｏｃｋのサブキャリア間隔は、周波数帯が６ＧＨｚ以下の場合は、１５ｋＨｚ又は３０ｋＨｚであり、周波数帯が６ＧＨｚ以上の場合は、１２０ｋＨｚ又は２４０ｋＨｚである。これに対し、ＲＭＳＩ又はデータのサブキャリア間隔は、周波数帯が６ＧＨｚ以下の場合は、１５ｋＨｚ、３０ｋＨｚ又は６０ｋＨｚであり、周波数帯が６ＧＨｚ以上の場合は、６０ｋＨｚ又は１２０ｋＨｚである。また、ＰＲＡＣＨのサブキャリア間隔は、周波数帯が６ＧＨｚ以下の場合は、１．２５ｋＨｚ、５ｋＨｚ、１５ｋＨｚ又は３０ｋＨｚであり、周波数帯が６ＧＨｚ以上の場合は、６０ｋＨｚ又は１２０ｋＨｚである。
【００４８】
したがって、サブキャリア間隔は複数の組み合わせが存在する状況において、スロットの時間長はサブキャリア間隔によって異なるため、予めサブキャリア間隔を想定しておくことで、ＲＡＣＨリソースの配置に想定したサブキャリア間隔を前提として使用することができる。また、ＰＲＡＣＨのサブキャリア間隔を想定する際には、ＰＲＡＣＨのサブキャリア間隔が１．２５ｋＨｚ又は５ｋＨｚの場合には、１５ｋＨｚのサブキャリア間隔を想定してもよい。
【００４９】
例えば、ＰＲＡＣＨのサブキャリア間隔は、ＲＭＳＩ又はデータのサブキャリア間隔と同一であることを想定してよい。すなわち、受信したＲＭＳＩ又はデータのサブキャリア間隔を、ＰＲＡＣＨのサブキャリア間隔が暗黙的に通知されたとしてユーザ装置２００は判断してもよい。ただし、サブキャリア間隔の組み合わせは上記のとおり定められているため、周波数帯が６ＧＨｚ以下の場合、ＲＭＳＩ又はデータのサブキャリア間隔が６０ｋＨｚの場合、ＰＲＡＣＨは３０ｋＨｚとする。
【００５０】
また、ＳＳ  ｂｌｏｃｋとＲＡＣＨリソースの関連付けをユーザ装置２００に通知するために、下記の情報が送信されてもよい。
１）ＰＲＡＣＨ  ｐｒｅａｍｂｌｅ  ｆｏｒｍａｔが、全ＳＳ  ｂｌｏｃｋ共通の情報として通知されてもよいし、ＳＳ  ｂｌｏｃｋ個別の情報として、それぞれ通知されてもよい。
２）１ＳＳ  ｂｌｏｃｋに関連付けられるＲＡＣＨリソースの時間方向の配置数が、全ＳＳ  ｂｌｏｃｋ共通の情報として通知されてもよいし、ＳＳ  ｂｌｏｃｋ個別の情報として、それぞれ通知されてもよい。ＲＡＣＨリソースの時間方向の配置数とは、ひとつのｐｒｅａｍｂｌｅ  ｆｏｒｍａｔに対応するリソースが時間方向に連続して繰り返し配置される数である。
３）実際に送信された全てのＳＳ  ｂｌｏｃｋに対応するＲＡＣＨリソースを１セットとして、当該セットの時間方向の繰り返し周期及び繰り返し回数が通知されてもよい。例えば、ＳＳ  ｂｕｒｓｔ  ｓｅｔ  ｐｅｒｉｏｄｉｃｉｔｙとの比率として通知されてもよく、当該比率が１／２の場合、ＳＳ  ｂｕｒｓｔ  ｓｅｔが２回送信されるごとに、ＲＡＣＨリソースの１セットが配置されてもよい。当該比率が４の場合、ＳＳ  ｂｕｒｓｔ  ｓｅｔが１回送信されるごとに、ＲＡＣＨリソースの４セットが配置されてもよい。また、ＲＡＣＨリソースのセットの周期が絶対値として通知されてもよいし、ＳＳ  ｂｕｒｓｔ  ｓｅｔ  ｐｅｒｉｏｄｉｃｉｔｙごとのＲＡＣＨリソースのセットの数が通知されてもよい。
４）ＳＳ  ｂｌｏｃｋに対応するＲＡＣＨリソースの配置形式にｉｎｄｅｘを割り当て、当該ｉｎｄｅｘが通知されてもよいし、いずれかの配置形式が予め規定されていて、通知はされなくてもよい。当該配置形式は、本実施例に記載されているいずれの配置形式でもよいし、例えば下記の配置形式が設定されてもよい。
４−１）ＳＳ  ｂｌｏｃｋが含まれるスロット内にＲＡＣＨリソースが配置される形式と、ＳＳ  ｂｌｏｃｋを含まないスロット内にＲＡＣＨリソースが配置される形式とを異なる配置形式として設定する。
４−２）連続するスロットにＲＡＣＨリソースを配置する形式と、ＲＡＣＨリソースを配置するスロット間に間隔を与えてもよい形式とを異なる形式として設定する。
５）実際に送信されるいずれかのＳＳ  ｂｌｏｃｋに対応するうち、先頭のＲＡＣＨリソースの開始タイミングのスロットｉｎｄｅｘが通知されてもよい。例えば、実際に送信される先頭又は末尾のＳＳ  ｂｌｏｃｋからのオフセットをｉｎｄｅｘとしてもよいし、システムフレームｉｎｄｅｘ、スロットｉｎｄｅｘ等で通知されてもよい。また、例えばＲＡＣＨリソースの周期が１０ｍｓであった場合、スロットｉｎｄｅｘのみが通知されてよく、周期は予め規定されて明示的に通知されなくてもよい。また、各ＳＳ  ｂｌｏｃｋに対応するＲＡＣＨリソースの開始タイミングのスロットｉｎｄｅｘは、ＰＲＡＣＨ  ｐｒｅａｍｂｌｅ  ｆｏｒｍａｔの時間長、ＲＡＣＨリソースの繰り返し数、ＲＡＣＨリソースの配置パターンから、暗黙的に通知されてもよい。すなわち、当該スロットｉｎｄｅｘとＰＲＡＣＨ  ｐｒｅａｍｂｌｅ  ｆｏｒｍａｔの時間長、ＲＡＣＨリソースの繰り返し数、ＲＡＣＨリソースの配置パターンとの対応が予め規定されていてもよい。また、各ＳＳ  ｂｌｏｃｋに対応する先頭のＲＡＣＨリソース配置は、明示的に通知されてもよい。さらに、ＳＳ  ｂｌｏｃｋが配置されているスロット内にＲＡＣＨリソースが配置される場合、ＲＡＣＨリソースの配置パターンとして通知されてもよいし、スロットｉｎｄｅｘで通知されてもよいし、ＰＲＡＣＨ  ｐｒｅａｍｂｌｅ  ｆｏｒｍａｔが１又は２シンボル等の時間長の短い形式が指定されることで暗黙的に通知されてもよい。また、ＲＡＣＨリソースが配置されるスロットの先頭位置、ＲＡＣＨリソースが配置されるスロットと後続のスロットの間隔、ＰＲＡＣＨ  ｐｒｅａｍｂｌｅ  ｆｏｒｍａｔに含まれる情報、ＲＡＣＨリソースの繰り返し数、ＲＡＣＨリソースが繰り返されるセットの周期、ＲＡＣＨリソースが繰り返されるセットの間隔、ＲＡＣＨリソースが繰り返されるセットの配置パターン、ｒｅｓｅｒｖｅｄ  ｓｙｍｂｏｌのうち、一部又は全部が通知されることによって、暗黙的にすべてのＳＳ  ｂｌｏｃｋに対応するＲＡＣＨリソースの配置が通知され、特定されてもよい。
【００５１】
図８は、本発明の実施の形態におけるスロット内のシンボル位置に関するＲＡＣＨリソース配置の例を示す図である。１ｍｓより短い時間長を有するＰＲＡＣＨ  ｐｒｅａｍｂｌｅ  ｆｏｒｍａｔが使用されるとき、すなわちｐｒｅａｍｂｌｅの系列長が１２７又は１３９であるとき、スロットの先頭、スロットの末尾又はスロットの先頭及び末尾のいくつかのシンボルを、ＲＡＣＨリソースとして使用しないｒｅｓｅｒｖｅｄ  ｓｙｍｂｏｌとしてユーザ装置２００に通知してもよい。ｒｅｓｅｒｖｅｄ  ｓｙｍｂｏｌとＰＲＡＣＨ  ｐｒｅａｍｂｌｅ  ｆｏｒｍａｔの時間長を合計した時間長、又はＰＲＡＣＨ  ｐｒｅａｍｂｌｅ  ｆｏｒｍａｔ単体の時間長がスロット長を超える等で適切な配置が出来なくなる場合にはｒｅｓｅｒｖｅｄ  ｓｙｍｂｏｌを考慮せずにＲＡＣＨリソースを配置することとしてもよい。１ｍｓより短い時間長を有するＰＲＡＣＨ  ｐｒｅａｍｂｌｅ  ｆｏｒｍａｔが使用されるとき、上記ｒｅｓｅｒｖｅｄ  ｓｙｍｂｏｌを考慮して、スロットの末尾からＲＡＣＨリソースを配置してもよいし、スロットの先頭からＲＡＣＨリソースを配置してもよい。
【００５２】
図８Ａは、スロットの先頭３シンボルがｒｅｓｅｒｖｅｄ  ｓｙｍｂｏｌとして指定され、ＰＲＡＣＨ  ｐｒｅａｍｂｌｅ  ｆｏｒｍａｔの時間長が４シンボルであり、スロットの末尾側にＲＡＣＨリソースを配置した場合を示している。スロット＃０からスロット＃２はｒｅｓｅｒｖｅｄ  ｓｙｍｂｏｌであり、スロット＃６からスロット＃９にＲＡＣＨ＃１が配置され、スロット＃１０からスロット＃１３にＲＡＣＨ＃２が配置される。ここで、図示しないが、ＲＡＣＨ＃１はＳＳＢ＃１に対応するＲＡＣＨリソースを示し、ＲＡＣＨ＃２はＳＳＢ＃２に対応するＲＡＣＨリソースを示す。
【００５３】
図８Ｂは、スロットの先頭２シンボル及び末尾２シンボルがｒｅｓｅｒｖｅｄ  ｓｙｍｂｏｌとして指定され、ＰＲＡＣＨ  ｐｒｅａｍｂｌｅ  ｆｏｒｍａｔの時間長が４シンボルであり、スロットの先頭側にＲＡＣＨリソースを配置した場合を示している。スロット＃０、スロット＃１、スロット＃１２及びスロット＃１３はｒｅｓｅｒｖｅｄ  ｓｙｍｂｏｌであり、スロット＃２からスロット＃５にＲＡＣＨ＃１が配置され、スロット＃６０からスロット＃９にＲＡＣＨ＃２が配置される。
【００５４】
図９は、本発明の実施の形態におけるＳＳ  ｂｌｏｃｋのサブキャリア間隔が１５ｋＨｚの場合のＲＡＣＨリソース配置の例（１）を示す図である。ＳＳ  ｂｌｏｃｋが配置されていないスロットにおける連続するＲＡＣＨリソース配置が、通知されるか又は予め仕様に規定されてもよい。先頭のＲＡＣＨリソース位置が通知又は規定されることで、当該位置から連続したスロットでＲＡＣＨリソースが配置される。
【００５５】
図９Ａは、ＳＳ  ｂｌｏｃｋが送信される無線信号のサブキャリア間隔が１５ｋＨｚかつ周波数帯が３ＧＨｚまでであって、先頭のＳＳ  ｂｌｏｃｋからＲＡＣＨリソースへのオフセットが２として通知され、ＰＲＡＣＨ  ｐｒｅａｍｂｌｅ  ｆｏｒｍａｔの時間長が１ｍｓ、ＲＡＣＨリソースの繰り返し回数が１回の場合のＲＡＣＨリソース配置を示している。スロット＃０にＳＳＢ＃０及びＳＳＢ＃１が配置され、スロット＃１にＳＳＢ＃２及びＳＳＢ＃３が配置されている。先頭ＳＳ  ｂｌｏｃｋであるＳＳＢ＃０がスロット＃０に配置されているため、オフセットの２を加えたスロット＃２に、先頭ＲＡＣＨリソースであるＲＡＣＨ＃０が配置される。続いて、スロット＃３にＲＡＣＨ＃１、スロット＃４にＲＡＣＨ＃２、スロット＃５にＲＡＣＨ＃３が配置される。ＳＳＢ＃０にはＲＡＣＨ＃０、ＳＳＢ＃１にはＲＡＣＨ＃１、ＳＳＢ＃２にはＲＡＣＨ＃２、ＳＳＢ＃３にはＲＡＣＨ＃３が対応する。
【００５６】
図９Ｂは、ＳＳ  ｂｌｏｃｋが送信される無線信号のサブキャリア間隔が１５ｋＨｚかつ周波数帯が３ＧＨｚから６ＧＨｚまでであって、スロットｉｎｄｅｘが５として通知され、ＰＲＡＣＨ  ｐｒｅａｍｂｌｅ  ｆｏｒｍａｔの時間長が２シンボル、ＲＡＣＨリソースの繰り返し回数が２回、スロット内先頭２シンボルがｒｅｓｅｒｖｅｄ  ｓｙｍｂｏｌの場合のＲＡＣＨリソース配置を示している。スロット＃０にＳＳＢ＃０及びＳＳＢ＃１が配置され、スロット＃１にＳＳＢ＃２及びＳＳＢ＃３が配置され、スロット＃２にＳＳＢ＃４及びＳＳＢ＃５が配置され、スロット＃３にＳＳＢ＃６及びＳＳＢ＃７が配置されている。スロットｉｎｄｅｘが５であるため、スロット＃５に先頭ＲＡＣＨリソースが配置される。スロット内先頭２シンボルはｒｅｓｅｒｖｅｄ  ｓｙｍｂｏｌであるため、シンボル＃２からシンボル＃５にＲＡＣＨ＃０が配置される。シンボル＃２及びシンボル＃３は１回目のＲＡＣＨリソース、シンボル＃４及びシンボル＃５は２回目のＲＡＣＨリソースに対応し、繰り返し回数が２回となる。同様に、シンボル＃６からシンボル＃９にＲＡＣＨ＃１が配置され、シンボル＃１０からシンボル＃１３にＲＡＣＨ＃２が配置される。スロット＃６のシンボル＃２からシンボル＃５にＲＡＣＨ＃３が配置され、シンボル＃６からシンボル＃９にＲＡＣＨ＃４が配置され、シンボル＃１０からシンボル＃１３にＲＡＣＨ＃５が配置される。スロット＃７のシンボル＃６からシンボル＃９にＲＡＣＨ＃６が配置され、シンボル＃１０からシンボル＃１３にＲＡＣＨ＃７が配置される。図９Ａと同様に、ＳＳＢ＃０からＳＳＢ＃８に、ＲＡＣＨ＃０からＲＡＣＨ＃８が対応する。
【００５７】
図１０は、本発明の実施の形態におけるＳＳ  ｂｌｏｃｋのサブキャリア間隔が１５ｋＨｚの場合のＲＡＣＨリソース配置の例（２）を示す図である。ＳＳ  ｂｌｏｃｋが配置されていないスロットにおける連続しないＲＡＣＨリソース配置が、通知されるか又は予め仕様に規定されてもよい。先頭のＲＡＣＨリソース位置が通知又は規定されることで、当該位置から後続するＲＡＣＨリソースが配置される。例えば、下記のように後続のＲＡＣＨリソースが配置される。
１）ＲＡＣＨリソースが１スロット分配置されるごとに、指定された数だけスロットをスキップして、次のＲＡＣＨリソースを配置してもよい。
２）１つ若しくは１パターン分（図１０ＡではＳＳＢ＃０及びＳＳＢ＃１）のＳＳ  ｂｌｏｃｋに対応するＲＡＣＨリソースが配置された後に、指定された数だけスロットをスキップして、次のＲＡＣＨリソースを配置してもよい。
３）１）及び２）を組み合わせた配置をしてもよい。
４）１）及び２）におけるスロットをスキップする「指定された数」は、個別にユーザ装置２００に通知されてもよいし、例えば、実際に送信された末尾のＳＳ  ｂｌｏｃｋから先頭のＲＡＣＨリソース位置とのオフセットと同じ数等が用いられてもよい。また例えば、末尾のＳＳ  ｂｌｏｃｋからオフセットとしてＲＡＣＨリソースの先頭が１スロットスキップしている場合には、同様にＲＡＣＨリソースの配置を１スロットずつスキップしてもよい。
【００５８】
図１０Ａは、ＳＳ  ｂｌｏｃｋが送信される無線信号のサブキャリア間隔が１５ｋＨｚかつ周波数帯が３ＧＨｚまでであって、ＳＳ  ｂｌｏｃｋの末尾からＲＡＣＨリソースへのオフセットが２として通知され、ＰＲＡＣＨ  ｐｒｅａｍｂｌｅ  ｆｏｒｍａｔの時間長が１ｍｓ、ＲＡＣＨリソースの繰り返し回数が１回の場合のＲＡＣＨリソース配置を示している。スロット＃０にＳＳＢ＃０及びＳＳＢ＃１が配置され、スロット＃１にＳＳＢ＃２及びＳＳＢ＃３が配置されている。ＳＳ  ｂｌｏｃｋの末尾であるＳＳＢ＃３がスロット＃１に配置されているため、オフセットの２を加えたスロット＃３に、先頭ＲＡＣＨリソースであるＲＡＣＨ＃０が配置される。続いて、ＳＳ  ｂｌｏｃｋの末尾からＲＡＣＨ＃０がオフセットとして１スロットスキップしているのと同様に、後続のＲＡＣＨリソースが１スロットずつスキップされて配置される。したがって、スロット＃３にＲＡＣＨ＃０、スロット＃５にＲＡＣＨ＃１、スロット＃７にＲＡＣＨ＃２が配置される。ＳＳＢ＃０からＳＳＢ＃３には、ＲＡＣＨ＃０からＲＡＣＨ＃３が対応する。
【００５９】
図１０Ｂは、ＳＳ  ｂｌｏｃｋが送信される無線信号のサブキャリア間隔が１５ｋＨｚかつ周波数帯が３ＧＨｚから６ＧＨｚまでであって、先頭ＳＳ  ｂｌｏｃｋからＲＡＣＨリソースへのオフセットが１として通知され、ＰＲＡＣＨ  ｐｒｅａｍｂｌｅ  ｆｏｒｍａｔの時間長が１ｍｓ、ＲＡＣＨリソースの繰り返し回数が１回の場合のＲＡＣＨリソース配置を示している。ここで、実際に送信されるＳＳ  ｂｌｏｃｋが、ＳＳＢ＃０、ＳＳＢ＃１、ＳＳＢ＃４、ＳＳＢ＃５であるため、図に示されるように、スロット＃０にＳＳＢ＃０及びＳＳＢ＃１が配置され、スロット＃２にＳＳＢ＃４及びＳＳＢ＃５が配置される。このように、実際に送信されるＳＳ  ｂｌｏｃｋの数が候補数の最大値Ｌより小さい場合、実際には送信されないＳＳ  ｂｌｏｃｋの候補位置となるシンボル又はスロット内にＲＡＣＨリソースを配置することができる。実際には送信されないＳＳ  ｂｌｏｃｋが存在するとき、ＲＡＣＨリソースを配置可能な場所には前に詰めてＲＡＣＨリソースを配置してもよい。一方、常に最大値Ｌが配置されると想定してＲＡＣＨリソースを配置してもよい。図１０Ｂに示されるように、スロット＃１にＳＳ  ｂｌｏｃｋが配置されていないため、ＲＡＣＨリソースを配置することが可能となり、ＲＡＣＨ＃０が配置される。以降、スロット＃３にＲＡＣＨ＃１が配置され、スロット＃４にＲＡＣＨ＃２が配置され、スロット＃５にＲＡＣＨ＃３が配置される。ＳＳＢ＃０にはＲＡＣＨ＃０、ＳＳＢ＃１にはＲＡＣＨ＃１、ＳＳＢ＃４にはＲＡＣＨ＃２、ＳＳＢ＃５にはＲＡＣＨ＃３が対応する。
【００６０】
図１０Ｂでは、サブキャリア間隔１５ｋＨｚの場合しか示していないが、他のサブキャリア間隔の場合にも同様に実際には送信されないＳＳ  ｂｌｏｃｋの候補位置となるシンボル又はスロット内にＲＡＣＨリソースが配置されてもよい。
【００６１】
図８、図９及び図１０において説明したＲＡＣＨリソースの配置の例について、例えば、想定サブキャリア間隔が１５ｋＨｚの場合にもスロット長が変わるのみであり、当該ＲＡＣＨリソースの配置の例は同様に適用可能である。また、ＳＳ  ｂｌｏｃｋのサブキャリア間隔が１５ｋＨｚ以外のときにも当該ＲＡＣＨリソースの配置の例は同様に適用可能である。
【００６２】
図１１は、本発明の実施の形態におけるＳＳ  ｂｌｏｃｋのサブキャリア間隔が１５ｋＨｚの場合のＲＡＣＨリソース配置の例（３）を示す図である。ＳＳ  ｂｌｏｃｋが配置されるスロット内（ＳＳ  ｂｌｏｃｋのサブキャリア間隔が想定されるスロット）におけるＲＡＣＨリソース配置が、通知されるか又は予め仕様に規定されてもよい。
【００６３】
図１１Ａは、ＳＳ  ｂｌｏｃｋが送信される無線信号のサブキャリア間隔が１５ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。図１１Ａに示されるように、ＳＳ  ｂｌｏｃｋの末尾から１シンボルを空けて、ＲＡＣＨリソースが配置されてもよい。空けられた１シンボルは、データ等の送受信に使用されてよい。ＰＲＡＣＨ  ｐｒｅａｍｂｌｅ  ｆｏｒｍａｔ又は１ｆｏｒｍａｔに対応するＲＡＣＨリソースの繰り返し数に応じて、複数のシンボルが空けられてもよい。シンボルを空けることにより、ＳＳ  ｂｌｏｃｋが受信された直後に対応するＲＡＣＨリソースでユーザ装置２００が送信したい場合に、処理時間を確保することができる。また、ＲＡＣＨリソースが配置されるシンボルへのＳＳ  ｂｌｏｃｋからの相対位置が通知又は規定されてもよい。図１１Ａにおいては、２が通知又は規定されている。
【００６４】
図１１Ａにおいて、スロット＃０にＳＳＢ＃０及びＳＳＢ＃１が配置され、スロット＃１にＳＳＢ＃２及びＳＳＢ＃３が配置される。スロット＃０のシンボル＃２からシンボル＃５までＳＳＢ＃０が配置され、シンボル＃６を空けてシンボル＃７にＲＡＣＨ＃０が配置される。シンボル＃８からシンボル＃１１にＳＳＢ＃１が配置され、シンボル＃１２を空けてシンボル＃１３にＲＡＣＨ＃１が配置される。ここでは、３０ｋＨｚ又は６０ｋＨｚ  ＳＣＳの無線フレームにおいては、先頭からのシンボル数を用いて以下説明する。すなわち、３０ｋＨｚ  ＳＣＳの無線フレームは、シンボル＃０からシンボル＃２６が配置され、６０ｋＨｚ  ＳＣＳの無線フレームにおいては、シンボル＃０からシンボル＃５２が配置される。３０ｋＨｚ  ＳＣＳである無線フレームにおいて、図１１Ａに示されるように、シンボル＃１２にＲＡＣＨ＃０、シンボル＃２４にＲＡＣＨ＃１が配置されてもよい。６０ｋＨｚ  ＳＣＳである無線フレームにおいて、図１１Ａに示されるように、シンボル＃２５にＲＡＣＨ＃０、シンボル＃４７にＲＡＣＨ＃１が配置されてもよい。いずれも、ＳＳ  ｂｌｏｃｋから１シンボル空けてＲＡＣＨリソースが配置される。スロット＃１もスロット内はスロット＃０と同様に配置される。
【００６５】
図１１Ｂは、ＳＳ  ｂｌｏｃｋが送信される無線信号のサブキャリア間隔が１５ｋＨｚかつ周波数帯が３ＧＨｚから６ＧＨｚまでのＲＡＣＨリソースの配置を示している。スロット＃０にＳＳＢ＃０及びＳＳＢ＃１が配置され、スロット＃１にＳＳＢ＃２及びＳＳＢ＃３が配置され、スロット＃２にＳＳＢ＃４及びＳＳＢ＃５が配置され、スロット＃３にＳＳＢ＃６及びＳＳＢ＃７が配置される。スロット内の配置は、図１１Ａと同様である。
【００６６】
図１２は、本発明の実施の形態におけるＳＳ  ｂｌｏｃｋのサブキャリア間隔が１５ｋＨｚの場合のＲＡＣＨリソース配置の例（３）を示す図である。図１１のＲＡＣＨリソースの配置において、ＲＡＣＨリソースがスロット内で後方又は前方に配置したもの、３０ｋＨｚ又は６０ｋＨｚ  ＳＣＳのスロット末尾に合わせて配置されたものである。当該ＲＡＣＨリソース配置が、通知されるか又は予め仕様に規定されてもよい。
【００６７】
図１２Ａにおいて、スロット内のＳＳＢ＃０及びＳＳＢ＃１の配置は、図１１と同様である。シンボル＃７にＲＡＣＨ＃０が配置され、シンボル＃１３にＲＡＣＨ＃１が配置される。３０ｋＨｚ  ＳＣＳである無線フレームにおいて、シンボル＃１４にＲＡＣＨ＃０が配置され、シンボル＃２６にＲＡＣＨ＃１が配置される。６０ｋＨｚ  ＳＣＳである無線フレームにおいて、シンボル＃２８にＲＡＣＨ＃０が配置され、シンボル＃５２にＲＡＣＨ＃１が配置される。図１２Ａでは、ＲＡＣＨリソースがスロット内で後方に配置されている。
【００６８】
図１２Ｂにおいて、スロット内のＳＳＢ＃０及びＳＳＢ＃１の配置は、図１１と同様である。シンボル＃６にＲＡＣＨ＃０が配置され、シンボル＃１２にＲＡＣＨ＃１が配置される。３０ｋＨｚ  ＳＣＳである無線フレームにおいて、シンボル＃１１にＲＡＣＨ＃０が配置され、シンボル＃２３にＲＡＣＨ＃１が配置される。６０ｋＨｚ  ＳＣＳである無線フレームにおいて、シンボル＃２１にＲＡＣＨ＃０が配置され、シンボル＃４５にＲＡＣＨ＃１が配置される。図１２Ｂでは、ＲＡＣＨリソースがスロット内で前方に配置されている。
【００６９】
図１２Ｃにおいて、スロット内のＳＳＢ＃０及びＳＳＢ＃１の配置は、図１１と同様である。シンボル＃６にＲＡＣＨ＃０が配置され、シンボル＃１２にＲＡＣＨ＃１が配置される。３０ｋＨｚ  ＳＣＳである無線フレームにおいて、シンボル＃１２にＲＡＣＨ＃０が配置され、シンボル＃２３にＲＡＣＨ＃１が配置される。６０ｋＨｚ  ＳＣＳである無線フレームにおいて、シンボル＃２４にＲＡＣＨ＃０が配置され、シンボル＃４５にＲＡＣＨ＃１が配置される。図１２Ｂでは、ＲＡＣＨリソースがスロット内の３０ｋＨｚ又は６０ｋＨｚ  ＳＣＳのスロット末尾に合わせて配置されている。
【００７０】
図１２に示されるようにＲＡＣＨリソースを配置することで、ＳＳ  ｂｌｏｃｋ間のギャップを利用した早いタイミングでＲＡＣＨリソースを配置することで、許容遅延時間が短い場合に対応することができる。
【００７１】
図１３は、本発明の実施の形態におけるＳＳ  ｂｌｏｃｋのサブキャリア間隔が１５ｋＨｚの場合のＲＡＣＨリソース配置の例（４）を示す図である。ＳＳ  ｂｌｏｃｋが配置されるスロット内（ＳＳ  ｂｌｏｃｋのサブキャリア間隔が想定されるスロット）におけるＲＡＣＨリソース配置が、通知されるか又は予め仕様に規定されてもよい。ＳＳ  ｂｌｏｃｋが複数回繰り返された後に、ＲＡＣＨリソースが配置されてもよい。例えば、ＳＳ  ｂｌｏｃｋの構成パターンごとにまとめてＲＡＣＨリソースが配置されてもよい。図１３Ａに示されるように、ＳＳ  ｂｌｏｃｋが２つ配置されるごとに、ＲＡＣＨリソースが配置される。１５ｋＨｚ  ＳＣＳの場合にも、ＳＳ  ｂｌｏｃｋが配置されるスロット内にＲＡＣＨリソースを配置することができる。また、ＲＡＣＨリソースの開始から、ＰＲＡＣＨ  ｐｒｅａｍｂｌｅ  ｆｏｒｍａｔ又は１ｆｏｒｍａｔに対応するＲＡＣＨリソースの繰り返し数に応じて、複数のシンボルにＲＡＣＨリソースが配置されてもよい。例えば、３０ｋＨｚ又は６０ｋＨｚ  ＳＣＳの場合、ＲＡＣＨ＃０の拡大に合わせて、次のＲＡＣＨ＃１を時間方向の配置をスライドしてもよい。また例えば、図１３ＡにおいてはＳＳ  ｂｌｏｃｋの直後からＲＡＣＨリソースの配置が開始されているが、１シンボル空けてスロット末尾にあわせてＲＡＣＨリソースが配置されてもよい。無線フレームが３０ｋＨｚ又は６０ｋＨｚ  ＳＣＳの場合、１シンボル又は２シンボルずつ後方にスライドさせてＲＡＣＨリソースが配置されてもよい。
【００７２】
図１３Ａにおいて、ＳＳ  ｂｌｏｃｋが送信される無線信号のサブキャリア間隔が１５ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。スロット＃０にＳＳＢ＃０及びＳＳＢ＃１が配置され、スロット＃１にＳＳＢ＃２及びＳＳＢ＃３が配置される。スロット＃０のシンボル＃２からシンボル＃５までＳＳＢ＃０が配置され、シンボル＃８からシンボル＃１１にＳＳＢ＃１が配置され、シンボル＃１２にＲＡＣＨ＃０が配置され、シンボル＃１３にＲＡＣＨ＃１が配置される。また、３０ｋＨｚ  ＳＣＳである無線フレームにおいて、図１３Ａに示されるように、シンボル＃２３にＲＡＣＨ＃０、シンボル＃２４にＲＡＣＨ＃１が配置されてもよい。また、６０ｋＨｚ  ＳＣＳである無線フレームにおいて、図１３Ａに示されるように、シンボル＃４５にＲＡＣＨ＃０、シンボル＃４６にＲＡＣＨ＃１が配置されてもよい。スロット＃１もスロット内はスロット＃０と同様に配置される。
【００７３】
図１３Ｂは、ＳＳ  ｂｌｏｃｋが送信される無線信号のサブキャリア間隔が１５ｋＨｚかつ周波数帯が３ＧＨｚまでのＲＡＣＨリソースの配置を示している。スロット＃０にＳＳＢ＃０及びＳＳＢ＃１が配置され、スロット＃１にＳＳＢ＃２及びＳＳＢ＃３が配置され、スロット＃２にＳＳＢ＃４及びＳＳＢ＃５が配置され、スロット＃３にＳＳＢ＃６及びＳＳＢ＃７が配置される。スロット内の配置は、図１３Ａと同様である。
【００７４】
図１３Ｃは、ＳＳ  ｂｌｏｃｋが送信される無線信号のサブキャリア間隔が１５ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。図１３Ａと異なり、３０ｋＨｚ  ＳＣＳである無線フレームにおいて、シンボル＃２５にＲＡＣＨ＃０、シンボル＃２６にＲＡＣＨ＃１が配置されてもよい。また、６０ｋＨｚ  ＳＣＳである無線フレームにおいて、図１３Ａに示されるように、シンボル＃５１にＲＡＣＨ＃０、シンボル＃５２にＲＡＣＨ＃１が配置されてもよい。
【００７５】
図１４は、本発明の実施の形態におけるＳＳ  ｂｌｏｃｋのサブキャリア間隔が３０ｋＨｚの場合のＲＡＣＨリソース配置の例（１）を示す図である。図１４において、ＳＳ  ｂｌｏｃｋのサブキャリア間隔が１５ｋＨｚであった図９又は図１０と同様のＲＡＣＨリソースの配置を、ＳＳ  ｂｌｏｃｋのサブキャリア間隔が３０ｋＨｚの無線フレームに適用したものである。当該ＲＡＣＨリソース配置が、通知されるか又は予め仕様に規定されてもよい。
【００７６】
図１４Ａは、ＳＳ  ｂｌｏｃｋのスロット内の構成例１として、スロット＃０のシンボル＃４からシンボル＃７にＳＳＢ＃０が配置され、シンボル＃８からシンボル＃１１にＳＳＢ＃１が配置され、スロット＃２のシンボル＃２からシンボル＃５にＳＳＢ＃２が配置され、シンボル＃６からシンボル＃９にＳＳＢ＃３が配置されている。１５ｋＨｚ又は６０ｋＨｚ  ＳＣＳである無線フレームは、データの送受信に使用されてよい。
【００７７】
図１４Ｂは、ＳＳ  ｂｌｏｃｋが送信される無線信号のサブキャリア間隔が３０ｋＨｚかつ周波数帯が３ＧＨｚまでである場合のＲＡＣＨリソース配置を示している。図１４ＡのＳＳ  ｂｌｏｃｋのスロット内構成例１のように、スロット＃０及びスロット＃１にＳＳＢ＃０からＳＳＢ＃３が配置される。スロット＃２から以降のスロットのいずれかにＲＡＣＨリソースの先頭が配置され、ＲＡＣＨ＃０からＲＡＣＨ＃３までが連続して配置される。先頭のＲＡＣＨリソース位置が通知又は規定されることで、当該位置から連続したスロットでＲＡＣＨリソースが配置される。
【００７８】
図１４Ｃは、ＳＳ  ｂｌｏｃｋが送信される無線信号のサブキャリア間隔が３０ｋＨｚかつ周波数帯が３ＧＨｚから６ＧＨｚまでである場合のＲＡＣＨリソース配置を示している。図１４ＡのＳＳ  ｂｌｏｃｋのスロット内構成例１のように、スロット＃０からスロット＃３に、ＳＳＢ＃０からＳＳＢ＃７が配置される。スロット＃４から以降のスロットのいずれかにＲＡＣＨリソースの先頭が配置され、ＲＡＣＨ＃０からＲＡＣＨ＃７までが連続して配置される。先頭のＲＡＣＨリソース位置が通知又は規定されることで、当該位置から連続したスロットでＲＡＣＨリソースが配置される。
【００７９】
図１４Ｄは、ＳＳ  ｂｌｏｃｋが送信される無線信号のサブキャリア間隔が３０ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。図１４ＡのＳＳ  ｂｌｏｃｋのスロット内構成例１のように、スロット＃０及びスロット＃１にＳＳＢ＃０からＳＳＢ＃３が配置される。３０ｋＨｚ  ＳＣＳである無線フレームにおいて、スロット＃０のシンボル＃１２にＲＡＣＨ＃０、シンボル＃１３にＲＡＣＨ＃１が配置され、スロット＃１のシンボル＃１０にＲＡＣＨ＃２、シンボル＃１１にＲＡＣＨ＃３が配置される。１５ｋＨｚ  ＳＣＳである無線フレームにおいて、シンボル＃７にＲＡＣＨ＃０、シンボル＃８にＲＡＣＨ＃１、シンボル＃１２にＲＡＣＨ＃２、シンボル＃１３にＲＡＣＨ＃３が配置されてよい。ここでは、６０ｋＨｚ  ＳＣＳの無線フレームにおいては、先頭からのシンボル数を用いて以下説明する。すなわち、６０ｋＨｚ  ＳＣＳの無線フレームにおいて、シンボル＃０からシンボル＃５２が配置される。６０ｋＨｚ  ＳＣＳである無線フレームにおいて、シンボル＃２３にＲＡＣＨ＃０、シンボル＃２４にＲＡＣＨ＃１、シンボル＃４５にＲＡＣＨ＃２、シンボル＃４６にＲＡＣＨ＃３が配置される。
【００８０】
図１４Ｅは、ＳＳ  ｂｌｏｃｋが送信される無線信号のサブキャリア間隔が３０ｋＨｚかつ周波数帯が３ＧＨｚまでである場合のＲＡＣＨリソース配置を示している。図１４ＡのＳＳ  ｂｌｏｃｋのスロット内構成例１のように、スロット＃０及びスロット＃１にＳＳＢ＃０からＳＳＢ＃３が配置される。スロット内のＲＡＣＨリソースの配置は、図１４Ｄと同様に配置されてよい。
【００８１】
図１４Ｆは、ＳＳ  ｂｌｏｃｋが送信される無線信号のサブキャリア間隔が３０ｋＨｚかつ周波数帯が３ＧＨｚから６ＧＨｚまでである場合のＲＡＣＨリソース配置を示している。図１４ＡのＳＳ  ｂｌｏｃｋのスロット内構成例１のように、スロット＃０からスロット＃３に、ＳＳＢ＃０からＳＳＢ＃７が配置される。スロット内のＲＡＣＨリソースの配置は、図１４Ｄと同様に配置されてよい。
【００８２】
図１５は、本発明の実施の形態におけるＳＳ  ｂｌｏｃｋのサブキャリア間隔が３０ｋＨｚの場合のＲＡＣＨリソース配置の例（２）を示す図である。当該ＲＡＣＨリソース配置が、通知されるか又は予め仕様に規定されてもよい。
【００８３】
図１５Ａは、ＳＳ  ｂｌｏｃｋが送信される無線信号のサブキャリア間隔が３０ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。図１４ＡのＳＳ  ｂｌｏｃｋのスロット内構成例１のように、スロット＃０及びスロット＃１にＳＳＢ＃０からＳＳＢ＃３が配置される。３０ｋＨｚ  ＳＣＳである無線フレームにおいて、スロット＃１のシンボル＃１０にＲＡＣＨ＃０、シンボル＃１１にＲＡＣＨ＃１、シンボル＃１２にＲＡＣＨ＃２、シンボル＃１３にＲＡＣＨ＃３が配置される。１５ｋＨｚ  ＳＣＳである無線フレームにおいては、スロット内にＲＡＣＨ＃０からＲＡＣＨ＃４を同様には配置できないため、ここでは配置しないが他の配置方式によって配置されてもよい。ここでは、６０ｋＨｚ  ＳＣＳの無線フレームにおいては、先頭からのシンボル数を用いて以下説明する。すなわち、６０ｋＨｚ  ＳＣＳの無線フレームにおいて、シンボル＃０からシンボル＃５２が配置される。６０ｋＨｚ  ＳＣＳである無線フレームにおいて、シンボル＃４５にＲＡＣＨ＃０、シンボル＃４６にＲＡＣＨ＃１、シンボル＃４７にＲＡＣＨ＃２、シンボル＃４８にＲＡＣＨ＃３が配置される。
【００８４】
図１５Ｂは、ＳＳ  ｂｌｏｃｋが送信される無線信号のサブキャリア間隔が３０ｋＨｚかつ周波数帯が３ＧＨｚまでである場合のＲＡＣＨリソース配置を示している。図１４ＡのＳＳ  ｂｌｏｃｋのスロット内構成例１のように、スロット＃０及びスロット＃１にＳＳＢ＃０からＳＳＢ＃３が配置される。スロット内のＲＡＣＨリソースの配置は、図１５Ａと同様に配置されてよい。
【００８５】
図１５Ｃは、ＳＳ  ｂｌｏｃｋが送信される無線信号のサブキャリア間隔が３０ｋＨｚかつ周波数帯が３ＧＨｚから６ＧＨｚまでである場合のＲＡＣＨリソース配置を示している。図１４ＡのＳＳ  ｂｌｏｃｋのスロット内構成例１のように、スロット＃０からスロット＃３に、ＳＳＢ＃０からＳＳＢ＃７が配置される。スロット内のＲＡＣＨリソースの配置は、図１５Ａと同様に配置されてよい。
【００８６】
図１５Ｄは、ＳＳ  ｂｌｏｃｋのスロット内の構成例２として、スロット＃０のシンボル＃２からシンボル＃５にＳＳＢ＃０が配置され、シンボル＃８からシンボル＃１１にＳＳＢ＃１が配置され、スロット＃２のシンボル＃２からシンボル＃５にＳＳＢ＃２が配置され、シンボル＃８からシンボル＃１１にＳＳＢ＃３が配置されている。１５ｋＨｚ又は６０ｋＨｚ  ＳＣＳである無線フレームは、データの送受信に使用されてよい。さらに、図１５Ｄは、ＳＳ  ｂｌｏｃｋが送信される無線信号のサブキャリア間隔が３０ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。３０ｋＨｚ  ＳＣＳである無線フレームにおいて、スロット＃０のシンボル＃７にＲＡＣＨ＃０、シンボル＃１３にＲＡＣＨ＃１が配置され、スロット＃１のシンボル＃７にＲＡＣＨ＃２、シンボル＃１３にＲＡＣＨ＃３が配置される。
【００８７】
図１５Ｅは、ＳＳ  ｂｌｏｃｋが送信される無線信号のサブキャリア間隔が３０ｋＨｚかつ周波数帯が３ＧＨｚまでである場合のＲＡＣＨリソース配置を示している。図１４ＡのＳＳ  ｂｌｏｃｋのスロット内構成例１のように、スロット＃０及びスロット＃１にＳＳＢ＃０からＳＳＢ＃３が配置される。スロット内のＲＡＣＨリソースの配置は、図１５Ｄと同様に配置されてよい。
【００８８】
図１５Ｆは、ＳＳ  ｂｌｏｃｋが送信される無線信号のサブキャリア間隔が３０ｋＨｚかつ周波数帯が３ＧＨｚから６ＧＨｚまでである場合のＲＡＣＨリソース配置を示している。図１４ＡのＳＳ  ｂｌｏｃｋのスロット内構成例１のように、スロット＃０からスロット＃３に、ＳＳＢ＃０からＳＳＢ＃７が配置される。スロット内のＲＡＣＨリソースの配置は、図１５Ｄと同様に配置されてよい。
【００８９】
図１６は、本発明の実施の形態におけるＳＳ  ｂｌｏｃｋのサブキャリア間隔が３０ｋＨｚの場合のＲＡＣＨリソース配置の例（３）を示す図である。当該ＲＡＣＨリソース配置が、通知されるか又は予め仕様に規定されてもよい。
【００９０】
図１６Ａは、図１５ＤのようにＳＳ  ｂｌｏｃｋのスロット内の構成例２として、スロット＃０のシンボル＃２からシンボル＃５にＳＳＢ＃０が配置され、シンボル＃８からシンボル＃１１にＳＳＢ＃１が配置され、スロット＃２のシンボル＃２からシンボル＃５にＳＳＢ＃２が配置され、シンボル＃８からシンボル＃１１にＳＳＢ＃３が配置されている。１５ｋＨｚ又は６０ｋＨｚ  ＳＣＳである無線フレームは、データの送受信に使用されてよい。さらに、図１６Ａは、ＳＳ  ｂｌｏｃｋが送信される無線信号のサブキャリア間隔が３０ｋＨｚかつ周波数帯が３ＧＨｚまでであって、ＰＲＡＣＨ  ｐｒｅａｍｂｌｅ  ｆｏｒｍａｔの時間長が１シンボル、ＲＡＣＨリソースの繰り返し回数が１回の場合のＲＡＣＨリソース配置を示している。３０ｋＨｚ  ＳＣＳである無線フレームにおいて、スロット＃０のシンボル＃１２にＲＡＣＨ＃０、シンボル＃１３にＲＡＣＨ＃１が配置され、スロット＃１のシンボル＃１２にＲＡＣＨ＃２、シンボル＃１３にＲＡＣＨ＃３が配置される。１５ｋＨｚ  ＳＣＳである無線フレームにおいては、スロット内にＲＡＣＨ＃０からＲＡＣＨ＃４を同様には配置できないため、ここでは配置しないが他の配置方式によって配置されてもよい。
【００９１】
図１６Ｂは、ＳＳ  ｂｌｏｃｋが送信される無線信号のサブキャリア間隔が３０ｋＨｚかつ周波数帯が３ＧＨｚまでである場合のＲＡＣＨリソース配置を示している。図１５ＤのＳＳ  ｂｌｏｃｋのスロット内構成例２のように、スロット＃０及びスロット＃１にＳＳＢ＃０からＳＳＢ＃３が配置される。スロット内のＲＡＣＨリソースの配置は、図１６Ａと同様に配置されてよい。
【００９２】
図１６Ｃは、ＳＳ  ｂｌｏｃｋが送信される無線信号のサブキャリア間隔が３０ｋＨｚかつ周波数帯が３ＧＨｚから６ＧＨｚまでである場合のＲＡＣＨリソース配置を示している。図１５ＤのＳＳ  ｂｌｏｃｋのスロット内構成例２のように、スロット＃０からスロット＃３に、ＳＳＢ＃０からＳＳＢ＃７が配置される。スロット内のＲＡＣＨリソースの配置は、図１６Ａと同様に配置されてよい。
【００９３】
図１７は、本発明の実施の形態におけるＳＳ  ｂｌｏｃｋのサブキャリア間隔が１２０ｋＨｚの場合のＲＡＣＨリソース配置の例（１）を示す図である。当該ＲＡＣＨリソース配置が、通知されるか又は予め仕様に規定されてもよい。ＳＳ  ｂｌｏｃｋのサブキャリア間隔が１５ｋＨｚ又は３０ｋＨｚの場合とは、ＳＳ  ｂｕｒｓｔ  ｓｅｔ内でスロットのギャップが存在する点が異なっている。当該スロットのギャップに、ＲＡＣＨリソースを配置してもよいし、配置しなくてもよい。当該ＲＡＣＨリソース配置が、通知されるか又は予め仕様に規定されてもよい。
【００９４】
図１７Ａは、ＳＳ  ｂｌｏｃｋが送信される無線信号のサブキャリア間隔が１２０ｋＨｚかつ周波数帯が６ＧＨｚから５２．６ＧＨｚまでである場合のスロット＃２０及びスロット＃２１のスロット内の構成を示している。１２０ｋＨｚ  ＳＣＳである無線フレームにおいて、スロット＃０のシンボル＃４からシンボル＃７にＳＳＢ＃３２が配置され、シンボル＃８からシンボル＃１１にＳＳＢ＃３３が配置され、スロット＃２のシンボル＃２からシンボル＃５にＳＳＢ＃３４が配置され、シンボル＃８からシンボル＃１１にＳＳＢ＃３５が配置されている。ＲＡＣＨリソースは、スロット単位で配置されてよいし、上記のようにＳＳ  ｂｕｒｓｔ  ｓｅｔ内のスロットのギャップ、すなわち図１７ＡのＳＳ  ｂｌｏｃｋが配置されていないスロット＃８、スロット＃９、スロット＃１８、スロット＃１９、スロット＃２８、スロット＃２９、スロット＃３８、スロット＃３９にＲＡＣＨリソースが配置されてもよい。
【００９５】
図１７Ｂは、ＳＳ  ｂｌｏｃｋが送信される無線信号のサブキャリア間隔が１２０ｋＨｚかつ周波数帯が６ＧＨｚから５２．６ＧＨｚまでである場合のスロット＃２０及びスロット＃２１のスロット内の構成を示している。図１７Ａ同様に、１２０ｋＨｚ  ＳＣＳである無線フレームにおいて、スロット＃０のシンボル＃４からシンボル＃７にＳＳＢ＃３２が配置され、シンボル＃８からシンボル＃１１にＳＳＢ＃３３が配置され、スロット＃２のシンボル＃２からシンボル＃５にＳＳＢ＃３４が配置され、シンボル＃８からシンボル＃１１にＳＳＢ＃３５が配置されている。ＲＡＣＨリソースは、１２０ｋＨｚ  ＳＣＳにおいて、スロット＃０のシンボル＃１２にＲＡＣＨ＃３２、シンボル＃１３にＲＡＣＨ＃３３が配置され、スロット＃１のシンボル＃１０にＲＡＣＨ＃３４、シンボル＃１１にＲＡＣＨ＃３５が配置される。６０ｋＨｚ  ＳＣＳである無線フレームにおいて、シンボル＃６にＲＡＣＨ＃３２、シンボル＃７にＲＡＣＨ＃３３、シンボル＃１２にＲＡＣＨ＃３４、シンボル＃１３にＲＡＣＨ＃３５が配置される。他のＳＳ  ｂｌｏｃｋが配置されるスロットも、同様にＲＡＣＨリソースが配置される。
【００９６】
図１８は、本発明の実施の形態におけるＳＳ  ｂｌｏｃｋのサブキャリア間隔が１２０ｋＨｚの場合のＲＡＣＨリソース配置の例（２）を示す図である。当該ＲＡＣＨリソース配置が、通知されるか又は予め仕様に規定されてもよい。
【００９７】
図１８Ａは、ＳＳ  ｂｌｏｃｋが送信される無線信号のサブキャリア間隔が１２０ｋＨｚかつ周波数帯が６ＧＨｚから５２．６ＧＨｚまでである場合のスロット＃２０及びスロット＃２１のスロット内の構成を示している。図１７Ａ同様に、１２０ｋＨｚ  ＳＣＳである無線フレームにおいて、スロット＃０のシンボル＃４からシンボル＃７にＳＳＢ＃３２が配置され、シンボル＃８からシンボル＃１１にＳＳＢ＃３３が配置され、スロット＃２のシンボル＃２からシンボル＃５にＳＳＢ＃３４が配置され、シンボル＃８からシンボル＃１１にＳＳＢ＃３５が配置されている。ＲＡＣＨリソースは、１２０ｋＨｚ  ＳＣＳにおいて、スロット＃１のシンボル＃１０にＲＡＣＨ＃３２、シンボル＃１１にＲＡＣＨ＃３３、シンボル＃１２にＲＡＣＨ＃３４、シンボル＃１３にＲＡＣＨ＃３５が配置される。６０ｋＨｚ  ＳＣＳである無線フレームにおいて、スロット内にＲＡＣＨ＃３２からＲＡＣＨ＃３５を同様には配置できないため、ここでは配置しないが他の配置方式によって配置されてもよい。
【００９８】
ここで、ＳＳ  ｂｌｏｃｋのサブキャリア間隔が１２０ｋＨｚ又は２４０ｋＨｚの場合には、ＳＳ  ｂｕｒｓｔ  ｓｅｔ内でスロットのギャップを活用して、ＲＡＣＨリソースを配置することが考えられる。図１８Ｂに示されるように、ギャップとなるスロットと、当該スロットの直前のスロットの末尾にシンボルにＲＡＣＨリソースを配置してもよい。例えば、２シンボルが繰り返されるＲＡＣＨリソースである場合、ギャップの２スロットと、直前のスロットの末尾４シンボルを利用してもよい。また、ギャップとなるスロットの先頭２シンボルをｒｅｓｅｒｖｅｄ  ｓｙｍｂｏｌとしてもよい。
【００９９】
図１８Ｂにおいて、ＳＳ  ｂｌｏｃｋが送信される無線信号のサブキャリア間隔が１２０ｋＨｚかつ周波数帯が６ＧＨｚから５２．６ＧＨｚまでである場合のスロット＃６及びスロット＃７のスロット内の構成を示している。１２０ｋＨｚ  ＳＣＳである無線フレームにおいて、スロット＃０のシンボル＃４からシンボル＃７にＳＳＢ＃１２が配置され、シンボル＃８からシンボル＃１１にＳＳＢ＃１３が配置され、スロット＃２のシンボル＃２からシンボル＃５にＳＳＢ＃１４が配置され、シンボル＃８からシンボル＃１１にＳＳＢ＃１５が配置されている。ＲＡＣＨリソースは、スロット＃７のシンボル＃１２にＲＡＣＨ＃０、シンボル＃１３にＲＡＣＨ＃１が配置される。続くスロット＃８のシンボル＃０にＲＡＣＨ＃２が配置され、シンボル＃１３までで、ＲＡＣＨ＃１５までが配置される。スロット＃１７及びスロット＃１８、スロット＃２７及びスロット＃２８、スロット＃３７及びスロット＃３８にも、スロット＃７及びスロット＃８同様にＲＡＣＨリソースが配置される。図１８ＢのようにＲＡＣＨリソースを配置することで、無線フレームにおいて、所定数のＳＳ  ｂｌｏｃｋに対応するＲＡＣＨリソースの配置が完了した後に、続くＳＳ  ｂｌｏｃｋの配置が開始される。
【０１００】
図１９は、本発明の実施の形態におけるＳＳ  ｂｌｏｃｋのサブキャリア間隔が２４０ｋＨｚの場合のＲＡＣＨリソース配置の例を示す図である。当該ＲＡＣＨリソース配置が、通知されるか又は予め仕様に規定されてもよい。なお上述したように、２４０ｋＨｚ  ＳＣＳである無線フレームには、ＲＭＳＩ、データ又はＰＲＡＣＨは配置されず、ＳＳ  ｂｌｏｃｋのみが配置される。
【０１０１】
図１９Ａにおいて、ＳＳ  ｂｌｏｃｋが送信される無線信号のサブキャリア間隔が１２０ｋＨｚかつ周波数帯が６ＧＨｚから５２．６ＧＨｚまでである場合のスロット＃３２からスロット＃３５のスロット内の構成を示している。２４０ｋＨｚ  ＳＣＳである無線フレームにおいて、スロット＃３２のシンボル＃８からシンボル＃１１にＳＳＢ＃５６が配置され、シンボル＃１２からスロット＃３３のシンボル＃１にＳＳＢ＃５７が配置され、シンボル＃２からシンボル＃５にＳＳＢ＃５８が配置され、シンボル＃６からシンボル＃９にＳＳＢ＃５９が配置されている。スロット＃３４のシンボル＃４からシンボル＃７にＳＳＢ＃６０が配置され、シンボル＃８からシンボル＃１１にＳＳＢ＃６１が配置され、シンボル＃１２からスロット＃３５のシンボル＃１にＳＳＢ＃６２が配置され、シンボル＃２からシンボル＃５にＳＳＢ＃６３が配置される。ＲＡＣＨリソースは、スロット単位で配置されてよいし、上記のようにＳＳ  ｂｕｒｓｔ  ｓｅｔ内のスロットのギャップ、すなわち図１９ＡのスロットＳＳ  ｂｌｏｃｋが配置されていないスロット＃１６からスロット＃１９にＲＡＣＨリソースが配置されてもよい。
【０１０２】
図１９Ｂにおいて、ＳＳ  ｂｌｏｃｋが送信される無線信号のサブキャリア間隔が１２０ｋＨｚかつ周波数帯が６ＧＨｚから５２．６ＧＨｚまでである場合のスロット＃３２からスロット＃３５のスロット内の構成を示している。２４０ｋＨｚ  ＳＣＳである無線フレームにおいて、図１９Ａ同様にスロット＃３２のシンボル＃８からシンボル＃１１にＳＳＢ＃５６が配置され、シンボル＃１２からスロット＃３３のシンボル＃１にＳＳＢ＃５７が配置され、シンボル＃２からシンボル＃５にＳＳＢ＃５８が配置され、シンボル＃６からシンボル＃９にＳＳＢ＃５９が配置されている。スロット＃３４のシンボル＃４からシンボル＃７にＳＳＢ＃６０が配置され、シンボル＃８からシンボル＃１１にＳＳＢ＃６１が配置され、シンボル＃１２からスロット＃３５のシンボル＃１にＳＳＢ＃６２が配置され、シンボル＃２からシンボル＃５にＳＳＢ＃６３が配置される。ＲＡＣＨリソースは、１２０ｋＨｚ  ＳＣＳである無線フレームに図１９Ｂに示されるように配置されてもよい。１２０ｋＨｚ  ＳＣＳである無線フレームのスロット＃１６のシンボル＃１２にＲＡＣＨ＃５６、シンボル＃１３にＲＡＣＨ＃５７、スロット＃１７のシンボル＃０にＲＡＣＨ＃５８、シンボル＃１にＲＡＣＨ＃５９、シンボル＃１０にＲＡＣＨ＃６０、シンボル＃１１にＲＡＣＨ＃６１、シンボル＃１２にＲＡＣＨ＃６２、シンボル＃１３にＲＡＣＨ＃６３が配置される。ただし、スロットの先頭にＲＡＣＨリソースが配置されるため、下り制御情報のスケジューリングに支障をきたす可能性があるため、他のＲＡＣＨリソース配置を採用してもよい。
【０１０３】
図１９Ｃにおいて、ＳＳ  ｂｌｏｃｋが送信される無線信号のサブキャリア間隔が１２０ｋＨｚかつ周波数帯が６ＧＨｚから５２．６ＧＨｚまでである場合のスロット＃１２からスロット＃１５のスロット内の構成を示している。２４０ｋＨｚ  ＳＣＳである無線フレームにおいて、スロット＃１２のシンボル＃８からシンボル＃１１にＳＳＢ＃２４が配置され、シンボル＃１２からスロット＃１３のシンボル＃１にＳＳＢ＃２５が配置され、シンボル＃２からシンボル＃５にＳＳＢ＃２６が配置され、シンボル＃６からシンボル＃９にＳＳＢ＃２７が配置されている。スロット＃１４のシンボル＃４からシンボル＃７にＳＳＢ＃２８が配置され、シンボル＃８からシンボル＃１１にＳＳＢ＃２９が配置され、シンボル＃１２からスロット＃１５のシンボル＃１にＳＳＢ＃３０が配置され、シンボル＃２からシンボル＃５にＳＳＢ＃３１が配置される。ＲＡＣＨリソースは、１２０ｋＨｚ  ＳＣＳである無線フレームのスロット＃７のシンボル＃１０にＲＡＣＨ＃０、シンボル＃１１にＲＡＣＨ＃１、シンボル＃１２にＲＡＣＨ＃２、シンボル＃１３にＲＡＣＨ＃３が配置される。続くスロット＃８のシンボル＃０にＲＡＣＨ＃４が配置され、スロット＃９のシンボル＃１３までで、ＲＡＣＨ＃３１までが配置される。図１９ＣのようにＲＡＣＨリソースを配置することで、無線フレームにおいて、所定数のＳＳ  ｂｌｏｃｋに対応するＲＡＣＨリソースの配置が完了した後に、続くＳＳ  ｂｌｏｃｋの配置が開始される。
【０１０４】
上述の実施例において、基地局装置１００は、ＳＳ  ｂｌｏｃｋが送信される位置、又は、ＳＳ  ｂｌｏｃｋ、ＲＭＳＩ若しくはデータが送信される無線信号のサブキャリア間隔、又は、プリアンブルの時間長等に応じて、初期アクセスに使用するＲＡＣＨリソースを、無線フレーム上に配置し、当該ＲＡＣＨリソースを使用してユーザ装置２００は、初期アクセスを行う。すなわち、無線通信システムの初期アクセスにおいて、ランダムアクセスに使用するリソースを適切に無線フレーム上に配置することができる。
【０１０５】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例を実施する機能を含む。ただし、基地局装置１００及びユーザ装置２００はそれぞれ、実施例の中の一部の機能のみを備えることとしてもよい。
【０１０６】
図２０は、基地局装置１００の機能構成の一例を示す図である。図２０に示されるように、基地局装置１００は、送信部１１０と、受信部１２０と、設定情報管理部１３０と、初期アクセス情報設定部１４０とを有する。図２０に示される機能構成は一例に過ぎない。本発明の実施の形態に係る動作を実行できるのであれば、機能区分及び機能部の名称はどのようなものでもよい。
【０１０７】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＮＲ−ＰＳＳ、ＮＲ−ＳＳＳ、ＮＲ−ＰＢＣＨ、ＤＬ／ＵＬ制御信号等を送信する機能を有する。また、送信部１１０は、ユーザ装置２００に送信電力制御に関する情報及びスケジューリングに関する情報を送信し、受信部１２０は、ユーザ装置２００からプリアンブル及び初期アクセスに係るメッセージを受信する。
【０１０８】
設定情報管理部１３０は、予め設定される設定情報、及び、ユーザ装置２００に送信する各種の設定情報を格納する。設定情報の内容は、例えば、初期アクセスに使用する情報等である。
【０１０９】
初期アクセス情報設定部１４０は、実施例において説明した、基地局装置１００におけるユーザ装置２００への同期信号及び初期アクセスに使用する情報を含むシステム情報の送信に係る制御、及びユーザ装置２００からの初期アクセスに係る制御を行う。
【０１１０】
図２１は、ユーザ装置２００の機能構成の一例を示す図である。図２１に示されるように、ユーザ装置２００は、送信部２１０と、受信部２２０と、設定情報管理部２３０と、初期アクセス制御部２４０とを有する。図２１に示される機能構成は一例に過ぎない。本発明の実施の形態に係る動作を実行できるのであれば、機能区分及び機能部の名称はどのようなものでもよい。
【０１１１】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＮＲ−ＰＳＳ、ＮＲ−ＳＳＳ、ＮＲ−ＰＢＣＨ、ＤＬ／ＵＬ制御信号等を受信する機能を有する。また、送信部２１０は、基地局装置１００にプリアンブル及び初期アクセスに係るメッセージを送信し、受信部１２０は、基地局装置１００から初期アクセスに使用する情報を受信する。
【０１１２】
設定情報管理部２３０は、受信部２２０により基地局装置１００から受信した各種の設定情報を格納する。また、設定情報管理部２３０は、予め設定される設定情報も格納する。設定情報の内容は、例えば、初期アクセスに使用する情報等である。
【０１１３】
初期アクセス制御部２４０は、実施例において説明した、ユーザ装置２００における初期アクセスに係る制御を行う。なお、初期アクセス制御部２４０におけるプリアンブル信号送信等に関する機能部を送信部２１０に含め、初期アクセス制御部２４０におけるシステム情報受信等に関する機能部を受信部２２０に含めてもよい。
【０１１４】
（ハードウェア構成）
上述の本発明の実施の形態の説明に用いた機能構成図（図２０及び図２１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１１５】
また、例えば、本発明の一実施の形態における基地局装置１００及びユーザ装置２００はいずれも、本発明の実施の形態に係る処理を行うコンピュータとして機能してもよい。図２２は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【０１１６】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【０１１７】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【０１１８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【０１１９】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図２０に示した基地局装置１００の送信部１１０、受信部１２０、設定情報管理部１３０、初期アクセス情報設定部１４０は、記憶装置１００２に格納され、プロセッサ１００１で動作する制御プログラムによって実現されてもよい。また、例えば、図２１に示したユーザ装置２００の送信部２１０と、受信部２２０と、設定情報管理部２３０、初期アクセス制御部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１２０】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【０１２１】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【０１２２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【０１２３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１２４】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【０１２５】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１２６】
（実施の形態のまとめ）
以上、説明したように、本発明の実施の形態によれば、ユーザ装置と通信を行う基地局装置であって、初期アクセスに使用される情報を含む１又は複数のブロック及びプリアンブルを送信する前記ブロックに関連付けられるリソースを特定する情報を無線フレームに配置する設定部と、前記無線フレームを前記ユーザ装置に送信する送信部と、前記リソースで、前記ユーザ装置からプリアンブルを受信する受信部とを有し、前記リソースを特定する情報は、前記無線フレームに配置される前記ブロックの位置に基づいて定められる基地局装置が提供される。
【０１２７】
上記の構成により、無線通信システムの初期アクセスにおいて、ランダムアクセスに使用するリソースを適切に無線フレーム上に配置することができる。
【０１２８】
前記リソースを特定する情報は、前記ブロック、前記ブロックに含まれない初期アクセスに必要な情報若しくは前記通信のデータが配置される無線フレームのサブキャリア間隔に基づいて定められてもよい。当該構成により、基地局装置は、無線フレームのサブキャリア間隔に応じて、ＲＡＣＨリソースを配置することができる。
【０１２９】
前記リソースを特定する情報は、前記リソースが配置されないリザーブされたシンボルの配置を含んでよい。当該構成により、ＲＡＣＨリソースが配置されないシンボルを指定することにより、制御信号の送信機会を制御することができる。
【０１３０】
前記リソースを特定する情報は、前記ブロックが含まれるスロット内に前記リソースが配置される形式と、前記ブロックが含まれないスロットに前記リソースが配置される形式とを、それぞれ１又は複数含んでもよい。当該構成により、ＳＳ  ｂｌｏｃｋが含まれるスロット内にＲＡＣＨリソースを配置することができる。
【０１３１】
前記リソースを特定する情報は、前記リソースが配置されるスロットの先頭位置及び前記ブロックからのオフセットと、前記リソースが連続して配置されるかを示す情報又は前記リソースが連続せずに配置されるかを示す情報とを含んでもよい。当該構成により、ＲＡＣＨリソースが連続して配置される場合と、連続せずに配置される場合とで、効率よくユーザ装置に配置形式を通知することができる。
【０１３２】
前記リソースを特定する情報は、前記リソースが配置されるスロットの先頭位置、前記リソースが配置されるスロットと後続のスロットの間隔、プリアンブルフォーマット、前記リソースの繰り返し数、前記リソースが繰り返されるセットの周期、前記リソースが繰り返されるセットの間隔、前記リソースが繰り返されるセットのパターン、前記リソースが配置されないリザーブされたシンボルの配置、のうち一部又は全部の情報を含み、前記一部又は全部の情報によって、前記ブロックに関連付けられるリソースが暗黙的に特定される。当該構成により、前記リソースが配置されるスロットの先頭位置、前記リソースが配置されるスロットと後続のスロットの間隔、プリアンブルフォーマット、前記リソースの繰り返し数、前記リソースが繰り返されるセットの周期、前記リソースが繰り返されるセットの間隔、前記リソースが繰り返されるセットのパターン、リザーブされたシンボルの配置、のうち一部又は全部の情報から、暗黙的にＲＡＣＨリソースを特定することができ、通知に係るオーバーヘッドが削減できる。更に、許容される遅延等の様々な要求条件に合わせて適切な配置を行うことができる。
【０１３３】
前記リソースを特定する情報は、前記無線フレームにおいて、前記ブロックが配置される候補の位置に、前記リソースが配置されていることを示してもよい。当該構成により、ＳＳ  ｂｌｏｃｋの配置候補位置で、実際にはＳＳ  ｂｌｏｃｋが送信されなかった場合に、当該位置にＲＡＣＨリソースを配置することができる。
【０１３４】
前記リソースを特定する情報は、前記無線フレームにおいて、第１のブロックと第２のブロックとの間に前記リソースは配置され、かつ前記第１のブロックが配置される位置から所定の期間を空けて前記リソースが配置されていることを示してもよい。当該構成により、ＳＳ  ｂｌｏｃｋ間のギャップにＲＡＣＨリソースを配置することが可能となり、さらにＳＳ  ｂｌｏｃｋから所定の期間を空けて配置することで、プリアンブル送信等に要する処理を実行する時間をユーザ装置は確保することができる。
【０１３５】
前記リソースを特定する情報は、前記無線フレームにおいて、配置される所定数のブロックすべてに対応する１又は複数の前記リソースが配置された後に、前記所定数のブロックとは異なるブロックの配置が開始されることを示してもよい。当該構成により、無線フレームにおいて、所定数のＳＳ  ｂｌｏｃｋに対応するＲＡＣＨリソースの配置が完了した後に、続くＳＳ  ｂｌｏｃｋの配置が開始することで、ＳＳ  ｂｌｏｃｋとＲＡＣＨリソースの関連付けが、所定の時点で完了する無線フレーム構成にすることができる。
【０１３６】
基地局装置と通信を行うユーザ装置であって、無線フレームを前記基地局装置から受信する受信部と、前記無線フレームから、初期アクセスに使用される情報を含む１又は複数のブロック及びプリアンブルを送信する前記ブロックに関連付けられるリソースを特定する情報を取得し、前記初期アクセスに使用する情報及び前記リソースを特定する情報に基づいて、使用するリソース及びプリアンブルを特定する制御部と、前記リソースで、前記基地局装置に前記プリアンブルを送信する送信部とを有し、前記リソースを特定する情報は、前記無線フレームに配置される前記ブロックの位置に基づいて定められるユーザ装置が提供される。
【０１３７】
上記の構成により、無線通信システムの初期アクセスにおいて、ランダムアクセスに使用するリソースが適切に配置された無線フレーム上で、ユーザ装置は初期アクセスを実行することができる。
【０１３８】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３９】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１４０】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１４１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１４２】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【０１４３】
本明細書で説明した各態様／実施形態は単独で用いてもよいし、組み合わせて用いてもよいし、実行に伴って切り替えて用いてもよい。
【０１４４】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１４５】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【０１４６】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【０１４７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４８】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【０１４９】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【０１５０】
なお、本発明の実施の形態において、ＳＳ  ｂｌｏｃｋは、ブロックの一例である。ＲＡＣＨリソースは、リソースの一例である。初期アクセス情報設定部１４０は、設定部の一例である。ＲＭＳＩは、ブロックに含まれない初期アクセスに必要な情報の一例である。初期アクセス制御部２４０は、制御部の一例である。
【０１５１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１５２】
１００      基地局装置
２００      ユーザ装置
１１０      送信部
１２０      受信部
１３０      設定情報管理部
１４０      初期アクセス情報設定部
２００      ユーザ装置
２１０      送信部
２２０      受信部
２３０      設定情報管理部
２４０      初期アクセス制御部
１００１    プロセッサ
１００２    記憶装置
１００３    補助記憶装置
１００４    通信装置
１００５    入力装置
１００６    出力装置
【図１】
2019049352.tif 000003
【図２】
2019049352.tif 000004
【図３】
2019049352.tif 000005
【図４】
2019049352.tif 000006
【図５】
2019049352.tif 000007
【図６】
2019049352.tif 000008
【図７】
2019049352.tif 000009
【図８】
2019049352.tif 000010
【図９】
2019049352.tif 000011
【図１０】
2019049352.tif 000012
【図１１】
2019049352.tif 000013
【図１２】
2019049352.tif 000014
【図１３】
2019049352.tif 000015
【図１４】
2019049352.tif 000016
【図１５】
2019049352.tif 000017
【図１６】
2019049352.tif 000018
【図１７】
2019049352.tif 000019
【図１８】
2019049352.tif 000020
【図１９】
2019049352.tif 000021
【図２０】
2019049352.tif 000022
【図２１】
2019049352.tif 000023
【図２２】
2019049352.tif 000024
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
ＲＡＣＨ(Random Access Channel)リソースを特定する設定情報を基地局装置から受信する受信部と、
前記設定情報に基づいて、ランダムアクセスプリアンブルを送信するスロットを特定する制御部と、
前記スロットに配置されるＲＡＣＨリソースにおいて、前記基地局装置に前記ランダムアクセスプリアンブルを送信する送信部と、を有し、
前記制御部は、前記ランダムアクセスプリアンブルのサブキャリア間隔から決定されるサブキャリア間隔に基づいて、前記ＲＡＣＨリソースの位置を特定する端末。
【請求項２】
前記制御部は、前記設定情報によって示される前記ランダムアクセスプリアンブルのフォーマット、前記ランダムアクセスプリアンブルの時間長、前記ＲＡＣＨリソースを配置するスロットの位置、及び前記スロットにおいて前記ＲＡＣＨリソースを配置するシンボルの位置の少なくとも１つに基づいて、前記ＲＡＣＨリソースを特定する請求項１記載の基地局装置。
【請求項３】
前記制御部は、前記設定情報によって示される前記ＲＡＣＨリソースとして使用されない、前記スロット内の先頭に配置されたシンボルに基づいて、前記ＲＡＣＨリソースを特定する、請求項１又は請求項２に記載の基地局装置。
【請求項４】
前記設定情報は、前記ＲＡＣＨリソースとして使用されない、前記スロット内の末尾に配置されたシンボルを示す、請求項１から請求項３に記載の基地局装置。
【請求項５】
前記制御部は、前記設定情報によって示される、前記スロットにおける連続する前記ＲＡＣＨリソース用のシンボルに基づいて、前記ＲＡＣＨリソースを特定する、請求項１から請求項４記載の基地局装置。
【請求項６】
前記スロットの時間長は、前記決定されたサブキャリア間隔と同一のサブキャリア間隔に基づいて導出される、請求項１から請求項５に記載の端末。
【請求項７】
前記制御部は、前記ランダムアクセスプリアンブルのサブキャリア間隔が１．２５ｋＨｚ、又は５ｋＨｚである場合、サブキャリア間隔が１５ｋＨｚであると想定して、前記スロットに配置される前記ＲＡＣＨリソースを特定する、請求項１から請求項６に記載の端末。
【請求項８】
（請求項１に対応する方法クレーム）
ＲＡＣＨ(Random Access Channel)リソースを特定する設定情報を基地局装置から受信する第１の工程と、
前記設定情報に基づいて、ランダムアクセスプリアンブルを送信するスロットを特定する第２の工程と、
前記スロットに配置されるＲＡＣＨリソースにおいて、前記基地局装置に前記ランダムアクセスプリアンブルを送信する第３の工程と、を有し、
前記第３の工程において、前記ランダムアクセスプリアンブルのサブキャリア間隔から決定されるサブキャリア間隔に基づいて、前記ＲＡＣＨリソースの位置を特定する、端末の通信方法。
【請求項９】
（請求項１に対応する基地局装置）
ＲＡＣＨ(Random Access Channel)リソースを決定する制御部と、
前記ＲＡＣＨリソースを特定する設定情報を端末に送信する送信部と、
前記設定情報によって示されたスロットに配置されるＲＡＣＨリソースにおいて、前記端末からランダムアクセスプリアンブルを受信する受信部と、を有し、
前記制御部は、前記ランダムアクセスプリアンブルのサブキャリア間隔から決定されるサブキャリア間隔に基づいて、前記ＲＡＣＨリソースの位置を決定する、基地局装置。
【国際調査報告】
2019049352.tif 000025
2019049352.tif 000026